(57)【要約】  無線通信装置（１０００）は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、１以上の機器に有線接続される有線インタフェース（１１００）と、他方の無線通信装置に無線接続される無線インタフェース（１２００）と、一対の無線通信装置に有線接続された機器それぞれを識別するＣＥＣ論理アドレスを保持するアドレス管理テーブル（１３００）と、有線インタフェース（１１００）及び無線インタフェース（１２００）の一方の先に接続されている機器が変更されたことを示すメッセージを受信したことに応じて、アドレス管理テーブル（１３００）を更新するテーブル更新部（１４００）と、テーブル更新部（１４００）によってアドレス管理テーブル（１３００）が更新されたことを、有線インタフェース（１１００）及び無線インタフェース（１２００）の他方の先に存在する機器に通知する制御部（１５００）とを備える。
2010100877.tif 000002
【特許請求の範囲】
【請求項１】
各々が１以上の機器に有線接続され、且つ互いに無線接続されている一対の無線通信装置のうちの一方の無線通信装置であって、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、
他方の前記無線通信装置に無線接続される無線インタフェースと、
前記一対の無線通信装置に有線接続された前記機器それぞれを識別するためのＣＥＣ論理アドレスを保持するアドレス管理テーブルと、
前記有線インタフェース及び前記無線インタフェースの一方の先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェース及び前記無線インタフェースの他方の先に接続されている前記機器に通知する制御部とを備える
無線通信装置。
【請求項２】
前記テーブル更新部は、前記他方の無線通信装置に有線接続されている前記機器のＣＥＣ論理アドレスのリストを含むリスト交換メッセージを、前記無線インタフェースを経由して前記他方の無線通信装置から受信したことに応じて、当該リスト交換メッセージに含まれるＣＥＣ論理アドレスで前記アドレス管理テーブルを更新し、
前記制御部は、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを所定の時間出力することによって、前記アドレス管理テーブルが更新されたことを前記有線インタフェースの先に接続されている前記機器に通知する
請求項１に記載の無線通信装置。
【請求項３】
前記制御部は、さらに、該無線通信装置の起動後、前記他方の無線通信装置から前記リスト交換メッセージを最初に受信するまでの間、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを出力し続ける
請求項２に記載の無線通信装置。
【請求項４】
前記テーブル更新部は、前記無線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加し、
前記制御部は、ＨＤＭＩ規格に規定されたレポート・フィジカル・アドレスメッセージを前記有線インタフェースの先に接続されている前記機器に送信することによって、前記アドレス管理テーブルに追加されたＣＥＣ論理アドレスを通知する
請求項１に記載の無線通信装置。
【請求項５】
前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記有線インタフェースの先に接続されている前記機器に中継する
請求項４に記載の無線通信装置。
【請求項６】
前記テーブル更新部は、前記有線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加し、
前記制御部は、ＨＤＭＩ規格に規定されたレポート・フィジカル・アドレスメッセージを前記無線インタフェースの先に接続されている前記機器に送信することによって、前記アドレス管理テーブルに追加されたＣＥＣ論理アドレスを通知する
請求項１に記載の無線通信装置。
【請求項７】
前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記無線インタフェースの先に接続されている前記機器に中継する
請求項６に記載の無線通信装置。
【請求項８】
該無線通信装置は、さらに、不揮発性メモリを備え、
前記テーブル更新部は、前記アドレス管理テーブルを更新する度に、更新後の前記アドレス管理テーブルに保持されている１以上の前記ＣＥＣアドレスを前記不揮発性メモリにコピーする
請求項１に記載の無線通信装置。
【請求項９】
前記テーブル更新部は、該無線通信装置が起動された際に、前記不揮発性メモリに記憶されている前記１以上のＣＥＣ論理アドレスに、ルート機器を示すＣＥＣ論理アドレス又はブロードキャストアドレスの少なくとも一方を追加して、前記アドレス管理テーブルにコピーする
請求項８に記載の無線通信装置。
【請求項１０】
前記制御部は、前記有線インタフェースを介して任意のＣＥＣメッセージを受信した場合において、前記ＣＥＣメッセージの送信先を示す前記ＣＥＣ論理アドレスが前記アドレス管理テーブルに保持されていた場合に、前記ＣＥＣメッセージを前記無線インタフェース介して送信先の前記機器に送信すると共に、前記ＣＥＣメッセージを受信したことを示す受信応答信号を、前記有線インタフェースを介して前記ＣＥＣメッセージの送信元の前記機器に送信する
請求項１に記載の無線通信装置。
【請求項１１】
各々が１以上の機器に有線接続され、且つ互いに無線接続されている一対の無線通信装置のうちの一方の無線通信装置が他方の無線通信装置と無線通信する無線通信方法であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記無線通信方法は、
前記有線インタフェース及び前記無線インタフェースの一方の先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェース及び前記無線インタフェースの他方の先に接続されている前記機器に通知する制御ステップとを含む
無線通信方法。
【請求項１２】
各々が１以上の機器に有線接続され、且つ互いに無線接続されている一対の無線通信装置のうちの一方の無線通信装置に、他方の無線通信装置と無線通信させるプログラムであって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記プログラムは、
前記有線インタフェース及び前記無線インタフェースの一方の先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェース及び前記無線インタフェースの他方の先に接続されている前記機器に通知する制御ステップとを前記一方の無線通信装置に実行させる
プログラム。
【請求項１３】
各々が１以上の機器に有線接続され、且つ互いに無線接続されている一対の無線通信装置のうちの一方の無線通信装置に含まれる集積回路であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースとを備え、
前記集積回路は、
前記一対の無線通信装置に有線接続された前記機器それぞれを識別するためのＣＥＣ論理アドレスを保持するアドレス管理テーブルと、
前記有線インタフェース及び前記無線インタフェースの一方の先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェース及び前記無線インタフェースの他方の先に接続されている前記機器に通知する制御部とを備える
集積回路。
【発明の詳細な説明】
【技術分野】
【０００１】
本発明は、複数の無線通信装置間でＨＤＭＩにおけるＣＥＣメッセージの中継伝送を可能とする無線通信装置に関するものである。
【背景技術】
【０００２】
非特許文献１で規格化されているＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）メッセージは、有線接続された装置間で送受信されるのが一般的である。【０００３】
このＣＥＣメッセージを無線で中継伝送する無線通信システムとして、たとえば、特許文献１に記載されているようなものがあった。【０００４】
図１８は、特許文献１に記載された従来の無線通信システムの構成を示すブロック図である。図１８において、無線通信システムは、ソース装置１Ａと、シンク装置２Ａと、アダプタ装置５７と、アダプタ装置６７とを備える。【０００５】
ソース装置１Ａは、有線送受信回路５５と、コントローラ１０Ａと、ＲＯＭ１１と、ＤＶＤプレーヤ１３と、ＣＥＣコントローラ１４とを備える。シンク装置２Ａは、有線送受信回路６５と、コントローラ２０Ａと、ＲＯＭ２１と、スピーカ２２と、ディスプレイ２３と、ＣＥＣコントローラ２４と、音声信号及び映像信号処理回路３０とを備える。アダプタ装置５７は、コントローラ５０と、有線送受信回路５１と、ＲＡＭ５２と、無線送受信回路５４と、アンテナ５６とを備える。アダプタ装置６７は、コントローラ６０と、有線送受信回路６１と、ＲＡＭ６２と、無線送受信回路６４と、アンテナ６６とを備える。【０００６】
ソース装置１Ａとアダプタ装置５７とは、ケーブルＣ１を介して互いに有線接続される。シンク装置２Ａとアダプタ装置６７とは、ケーブルＣ２を介して互いに有線接続される。一方、アダプタ装置５７、６７は、互いに無線接続されている。【０００７】
ソース装置１Ａのコントローラ１０Ａは、ＣＥＣコントローラ１４から入力されるＣＥＣメッセージを有線送受信回路５５に出力する。また、コントローラ１０Ａは、有線送受信回路５５及びアダプタ装置５７を介してシンク装置２Ａから受信したＣＥＣメッセージをＣＥＣコントローラ１４に出力する。有線送受信回路５５は、ＤＶＤプレーヤ１３から読み出された映像信号及び音声信号、又はコントローラ１０Ａから入力されたＣＥＣメッセージを、ケーブルＣ１を介してアダプタ装置５７に送信する。また、有線送受信回路５５は、シンク装置２Ａにより送信されたＣＥＣメッセージを、アダプタ装置５７からケーブルＣ１を介して受信する。【０００８】
アダプタ装置５７の有線送受信回路５１は、ケーブルＣ１を介してソース装置１Ａから映像信号及び音声信号を受信し、無線送受信回路５４に出力する。また、有線送受信回路５１は、ケーブルＣ１を介してソース装置１ＡからＣＥＣメッセージを受信し、コントローラ５０に送信する。さらに、有線送受信回路５１は、シンク装置２Ａから送信されたＣＥＣメッセージを、ケーブルＣ１を介してソース装置１Ａに送信する。コントローラ５０は、有線送受信回路５１から出力されるＣＥＣメッセージを含む無線データパケットを生成して無線送受信回路５４に出力する。また、コントローラ５０は、出力したＣＥＣメッセージの送信データ情報をＲＡＭ５２の送信データ情報テーブル５２ａに格納する。さらに、コントローラ５０は、無線送受信回路５４及びアンテナ５６を介してシンク装置２Ａから受信した無線データパケットに含まれるＣＥＣメッセージに基づいて、アドレス情報登録処理及びデータ送受信処理を実行する。ＲＡＭ５２は、送信データ情報テーブル５２ａと、ノード情報テーブル５２ｂとを格納する。【０００９】
シンク装置２Ａのコントローラ２０Ａ及び有線送受信回路６５は、それぞれソース装置１Ａのコントローラ１０Ａ及び有線送受信回路５５と同様に構成される。但し、有線送受信回路６５は、ケーブルＣ２を介して受信したＡＶ信号を音声信号及び映像信号処理回路３０に出力する。また、コントローラ２０Ａは、音声信号及び映像信号処理回路３０を制御する。【００１０】
また、アダプタ装置６７のコントローラ６０、有線送受信回路６１、ＲＡＭ６２及び無線送受信回路６４は、それぞれアダプタ装置５７のコントローラ５０、有線送受信回路５１、ＲＡＭ５２及び無線送受信回路５４と同様に構成される。但し、ＲＡＭ６２は、送信データ情報テーブル６２ａと、ノード情報テーブル６２ｂとを格納する。また、無線送受信回路６４は、ＡＶ信号を有線送受信回路６１に出力する。【００１１】
図１９を参照して、以上のように構成された無線通信システムの動作を説明する。【００１２】
まず、図１９の上段に示されるように、アダプタ装置５７は、ケーブルＣ１を介して接続されている装置（この例ではソース装置１Ａ）のＣＥＣ論理アドレスを収集し、ノード情報テーブル５２ｂに保存する。そして、アダプタ装置５７は、例えば、ノード情報テーブル５２ｂが更新されたタイミングで、ノード情報テーブル５２ｂに保持されているＣＥＣ論理アドレスのリストを含むリスト交換メッセージを、アダプタ装置６７に無線送信する。【００１３】
一方、アダプタ装置６７は、受信したリスト交換メッセージに含まれるＣＥＣ論理アドレスのリストを、ノード情報テーブル６２ｂに保存する。また、アダプタ装置６７についても、同様の動作を行う（図示省略）。これにより、アダプタ装置５７、６７は、自装置に接続された装置のＣＥＣ論理アドレス、及び相手装置に接続された装置のＣＥＣ論理アドレスを把握することができる。【００１４】
次に、図１９の下段に示されるように、ソース装置１Ａは、シンク装置２Ａ宛てのＣＥＣメッセージをアダプタ装置５７に送信する。具体的には、ソース装置１ＡのＣＥＣコントローラ１４により生成されたＣＥＣメッセージは、バスＢ１を介してコントローラ１０Ａに出力され、有線送受信回路５５及びケーブルＣ１を介してアダプタ装置５７に送信される。【００１５】
次に、アダプタ装置５７のコントローラ５０は、有線送受信回路５１を介してソース装置１Ａから受信したＣＥＣメッセージを含む無線データパケットを生成し、生成した無線データパケットを無線送受信回路５４及びアンテナ５６を介してアダプタ装置６７に無線送信する。【００１６】
アダプタ装置５７の無線送受信回路６４は、アンテナ５６を介して無線データパケットを無線受信する。アダプタ装置６７のコントローラ６０は、無線データパケットに含まれるＣＥＣメッセージの宛先論理アドレスをノード情報テーブル６２ｂと照合する。そして、コントローラ６０は、シンク装置２ＡのＣＥＣ論理アドレスと一致する場合に、有線送受信回路６１及びケーブルＣ２を介してＣＥＣメッセージをシンク装置２Ａに送信すると共に、無線ＡＣＫパケットを、無線送受信回路６４及びアンテナ６６を介してアダプタ装置５７に送信する。【００１７】
一方、ソース装置１Ａは、ＣＥＣメッセージの送信後、所定時間以内に無線ＡＣＫパケットを受信しない場合、ＣＥＣコントローラ１４によりＣＥＣメッセージの再送処理が行われる。この場合、アダプタ装置５７のコントローラ５０は、再送されたＣＥＣメッセージのデータブロックＮのＥＯＭビットをＣＥＣコントローラ１４から受信した時点で、既にアダプタ装置６７から無線ＡＣＫパケットを受信している。そこで、アダプタ装置５７は、ＣＥＣメッセージを含む無線データパケットを再度無線送信することなく、データブロックＮに対して「０」であるＡＣＫビットをＣＥＣコントローラ１４に送信する。従って、ＣＥＣコントローラ１４は、ＣＥＣメッセージが正常にアダプタ装置６７に受信されたことを認識することができる。【００１８】
以上説明したように、前記特許文献１に記載された従来の無線通信システムによれば、ＣＥＣメッセージを生成するＣＥＣコントローラ１４と、コントローラ５０とがバスＢ１及びケーブルＣ１を介して互いに接続され、ＣＥＣコントローラ２４と、コントローラ６０とがバスＢ２及びケーブルＣ２を介して互いに接続されるので、ＣＥＣメッセージを送受信するための有線インタフェースしか備えていないソース装置１Ａ又はシンク装置２Ａにおいても、それぞれアダプタ装置５７及び６７を装着することで、ＣＥＣメッセージを無線送受信することが可能となる。
【先行技術文献】
【特許文献】
【００１９】
【特許文献１】特開２００８−２２５６０号公報（第２２頁、第１５図）
【非特許文献】
【００２０】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ，  Ｖｅｒｓｉｏｎ  １．１，  ＨＤＭ  Ｉ  Ｌｉｃｅｎｓｉｎｇ，  ＬＬＣ，  Ｃａｌｉｆｏｒｎｉａ  ｉｎ  Ｕ．Ｓ．Ａ．（Ｍａｙ  ２０，  ２００４）
【発明の概要】
【発明が解決しようとする課題】
【００２１】
上記構成の無線通信システムにおいては、ソース装置１Ａとアダプタ装置５７との間、及びシンク装置２Ａとアダプタ装置６７との間でリスト交換メッセージの送受信を行わないので、ソース装置１Ａ及びシンク装置２Ａは、それぞれ無線区間の先に接続されている装置の最新の情報を把握することができない。具体的には、ソース装置１Ａは、アダプタ装置６７のケーブルＣ２に新たにＣＥＣメッセージを送受信可能なＣＥＣ機器が接続されたとしても、ソース装置１Ａ自身がポーリングなどを行わなければ、当該新たなＣＥＣ機器の存在を検出することができないという問題があった。【００２２】
また、前記従来の構成における他の問題として、ソース装置１Ａは、最初に出力したＣＥＣメッセージに対するＡＣＫ／ＮＡＣＫを、監視タイマのタイムアウト前に受信することが難しい。つまり、特許文献１においては、ＣＥＣコントローラ１４がＣＥＣメッセージを再送することを前提とし、且つアダプタ装置５７が再送されたＣＥＣメッセージより先に無線ＡＣＫパケットを受信することを期待した構成となっている。【００２３】
このように、従来の構成では、最初のＣＥＣメッセージがＮＡＣＫとなり、ＣＥＣコントローラ１４がＣＥＣメッセージを再送するまで、ＣＥＣメッセージの正常送信終了とならない。また、規格上、ＣＥＣバスは低速であり、再送待ち時間も長いため、著しくスループットが低下するという問題があった。【００２４】
本発明は、ＣＥＣ機器の構成変更を随時検出可能な無線通信装置を提供することを第１の目的とする。【００２５】
また、本発明は、ＣＥＣ機器間で送受信されるＣＥＣメッセージのスループットを向上させた無線通信装置を提供することを第２の目的とする。
【課題を解決するための手段】
【００２６】
本発明の一形態に係る無線通信装置は、各々が１以上の機器に有線接続され、且つ互いに無線接続されている一対の無線通信装置のうちの一方の無線通信装置である。具体的には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと、前記一対の無線通信装置に有線接続された前記機器それぞれを識別するためのＣＥＣ論理アドレスを保持するアドレス管理テーブルと、前記有線インタフェース及び前記無線インタフェースの一方の先に接続されている前記機器が変更されたことを示すメッセージを受信したことに応じて、前記アドレス管理テーブルを更新するテーブル更新部と、前記テーブル更新部によって前記アドレス管理テーブルが更新されたことを、前記有線インタフェース及び前記無線インタフェースの他方の先に接続されている前記機器に通知する制御部とを備える。【００２７】
上記構成のように、他方の無線通信装置に有線接続されている機器のＣＥＣ論理アドレスをアドレス管理テーブルで管理し、当該アドレス管理テーブルの更新を自装置に有線接続されている機器に通知することで、機器が常に最新の機器構成を把握することができる。なお、「有線インタフェースの先に接続されている機器」とは、自装置に有線接続されている機器を指す。また、「無線インタフェースの先に接続されている機器」とは、他の無線通信装置に有線接続されている機器を指す。【００２８】
一形態として、前記テーブル更新部は、前記他方の無線通信装置に有線接続されている前記機器のＣＥＣ論理アドレスのリストを含むリスト交換メッセージを、前記無線インタフェースを経由して前記他方の無線通信装置から受信したことに応じて、当該リスト交換メッセージに含まれるＣＥＣ論理アドレスで前記アドレス管理テーブルを更新してもよい。前記制御部は、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを所定の時間出力することによって、前記アドレス管理テーブルが更新されたことを前記有線インタフェースの先に接続されている前記機器に通知してもよい。【００２９】
さらに、前記制御部は、該無線通信装置の起動後、前記他方の無線通信装置から前記リスト交換メッセージを最初に受信するまでの間、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを出力し続けてもよい。これにより、無線通信装置に有線接続されている機器が、誤ったＣＥＣ論理アドレス情報を取得することを防ぐ効果を得ることができる。【００３０】
他の形態として、前記テーブル更新部は、前記無線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加してもよい。前記制御部は、ＨＤＭＩ規格に規定されたレポート・フィジカル・アドレスメッセージを前記有線インタフェースの先に接続されている前記機器に送信することによって、前記アドレス管理テーブルに追加されたＣＥＣ論理アドレスを通知してもよい。なお、制御部は、自ら生成したレポート・フィジカル・アドレスメッセージを送信してもよいし、下記のように、他の機器が生成したレポート・フィジカル・アドレスメッセージを中継してもよい。【００３１】
また、前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記有線インタフェースの先に接続されている前記機器に中継してもよい。これにより、線通信装置でＣＥＣ物理アドレスを取得し、管理する必要がなくなる。【００３２】
さらに他の形態として、前記テーブル更新部は、前記有線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加してもよい。前記制御部は、ＨＤＭＩ規格に規定されたレポート・フィジカル・アドレスメッセージを前記無線インタフェースの先に接続されている前記機器に送信することによって、前記アドレス管理テーブルに追加されたＣＥＣ論理アドレスを通知してもよい。なお、制御部は、自ら生成したレポート・フィジカル・アドレスメッセージを送信してもよいし、下記のように、他の機器が生成したレポート・フィジカル・アドレスメッセージを中継してもよい。【００３３】
また、前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記無線インタフェースの先に接続されている前記機器に中継してもよい。これにより、線通信装置でＣＥＣ物理アドレスを取得し、管理する必要がなくなる。【００３４】
さらに、該無線通信装置は、不揮発性メモリを備えてもよい。前記テーブル更新部は、前記アドレス管理テーブルを更新する度に、更新後の前記アドレス管理テーブルに保持されている１以上の前記ＣＥＣアドレスを前記不揮発性メモリにコピーしてもよい。また、前記テーブル更新部は、該無線通信装置が起動された際に、前記不揮発性メモリに記憶されている前記１以上のＣＥＣ論理アドレスに、ルート機器を示すＣＥＣ論理アドレス又はブロードキャストアドレスの少なくとも一方を追加して、前記アドレス管理テーブルにコピーしてもよい。これにより、起動直後からＣＥＣメッセージを中継することが可能となる。【００３５】
また、前記制御部は、前記有線インタフェースを介して任意のＣＥＣメッセージを受信した場合において、前記ＣＥＣメッセージの送信先を示す前記ＣＥＣ論理アドレスが前記アドレス管理テーブルに保持されていた場合に、前記ＣＥＣメッセージを前記無線インタフェース介して送信元の前記機器に送信すると共に、前記ＣＥＣメッセージを受信したことを示す受信応答信号を、前記有線インタフェースを介して前記ＣＥＣメッセージの送信元の前記機器に送信してもよい。これにより、従来のようにＣＥＣメッセージが再送されることがなくなり、機器間で送受信されるＣＥＣメッセージのスループットを著しく向上させることがとなる。【００３６】
本発明の一形態に係る無線通信方法は、各々が１以上の機器に有線接続され、且つ互いに無線接続されている一対の無線通信装置のうちの一方の無線通信装置が他方の無線通信装置と無線通信する方法である。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備える。そして、前記無線通信方法は、前記有線インタフェース及び前記無線インタフェースの一方の先に接続されている前記機器が変更されたことを示すメッセージを受信したことに応じて、前記アドレス管理テーブルを更新するテーブル更新ステップと、前記テーブル更新ステップで前記アドレス管理テーブルが更新されたことを、前記有線インタフェース及び前記無線インタフェースの他方の先に接続されている前記機器に通知する制御ステップとを含む。【００３７】
本発明の一形態に係るプログラムは、各々が１以上の機器に有線接続され、且つ互いに無線接続されている一対の無線通信装置のうちの一方の無線通信装置に、他方の無線通信装置と無線通信させる。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備える。そして、前記プログラムは、前記有線インタフェース及び前記無線インタフェースの一方の先に接続されている前記機器が変更されたことを示すメッセージを受信したことに応じて、前記アドレス管理テーブルを更新するテーブル更新ステップと、前記テーブル更新ステップで前記アドレス管理テーブルが更新されたことを、前記有線インタフェース及び前記無線インタフェースの他方の先に接続されている前記機器に通知する制御ステップとを前記一方の無線通信装置に実行させる。【００３８】
本発明の一形態に係る集積回路は、各々が１以上の機器に有線接続され、且つ互いに無線接続されている一対の無線通信装置のうちの一方の無線通信装置に含まれる。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースとを備える。前記集積回路は、前記一対の無線通信装置に有線接続された前記機器それぞれを識別するためのＣＥＣ論理アドレスを保持するアドレス管理テーブルと、前記有線インタフェース及び前記無線インタフェースの一方の先に接続されている前記機器が変更されたことを示すメッセージを受信したことに応じて、前記アドレス管理テーブルを更新するテーブル更新部と、前記テーブル更新部によって前記アドレス管理テーブルが更新されたことを、前記有線インタフェース及び前記無線インタフェースの他方の先に接続されている前記機器に通知する制御部とを備える。
【発明の効果】
【００３９】
本発明によれば、各ＣＥＣ機器が常に最新の機器構成を把握することができる。
【図面の簡単な説明】
【００４０】
【図１】図１は、本発明の一形態に係る無線通信装置のブロック図である。
【図２】図２は、実施の形態１に係る無線通信システムのブロック図である。
【図３】図３は、実施の形態１に係る無線通信システムの動作の一例を示すデータフローである。
【図４】図４は、実施の形態１に係る無線通信装置の動作を示すフローチャートである。
【図５】図５は、実施の形態１に係る無線通信システムの動作の他の例を示すデータフローである。
【図６】図６は、実施の形態２に係る無線通信システムのブロック図である。
【図７】図７は、実施の形態２に係る無線通信システムの動作を示すデータフローである。
【図８】図８は、実施の形態３に係る無線通信システムのブロック図である。
【図９】図９は、実施の形態３に係る無線通信システムの動作を示すデータフローである。
【図１０】図１０は、実施の形態４に係る無線通信システムのブロック図である。
【図１１】図１１は、実施の形態４に係る無線通信システムの動作を示すデータフローである。
【図１２】図１２は、実施の形態５に係る無線通信システムのブロック図である。
【図１３】図１３は、実施の形態５に係る無線通信システムの動作を示すデータフローである。
【図１４】図１４は、実施の形態６に係る無線通信システムのブロック図である。
【図１５】図１５は、実施の形態６に係る無線通信装置の動作の一例を示すフローチャートである。
【図１６】図１６は、実施の形態６に係る無線通信装置の動作の他の例を示すフローチャートである。
【図１７】図１７は、実施の形態６に係る無線通信装置の動作のさらに他の例を示すフローチャートである。
【図１８】図１８は、従来の無線通信システムの構成を示すブロック図である。
【図１９】図１９は、従来の無線通信システムの動作を示すデータフローである。
【発明を実施するための形態】
【００４１】
図１は、本発明の一形態に係る無線通信装置１０００のブロック図である。無線通信装置１０００は、図１に示されるように、有線インタフェース１１００と、無線インタフェース１２００と、アドレス管理テーブル１３００と、テーブル更新部１４００と、制御部１５００とを備える。
【００４２】
有線インタフェース１１００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定されたインタフェースである。この有線インタフェース１１００には、１以上の機器が直接的又は間接的に接続される。なお、「直接的に接続」とは、文字通り、有線インタフェース１１００と他の機器とがケーブルを介して接続されることを指す。一方、「間接的に接続」とは、有線インタフェース１１００に直接的に接続された機器に、さらに他の機器が接続されている状態を指す。
【００４３】
無線インタフェース１２００は、他の無線通信装置に無線接続されるインタフェースである。具体的な接続方式は特に限定されないが、例えば、ワイヤレスＨＤ（Ｈｉｇｈ  Ｄｅｆｉｎｉｔｉｏｎ）を用いて接続されていてもよい。
【００４４】
アドレス管理テーブル１３００は、該無線通信装置１０００に有線接続されている機器、及び無線インタフェース１２００を介して無線接続された他の無線通信装置に有線接続されている機器のＣＥＣ論理アドレスを保持している。ＣＥＣ論理アドレスは、ＨＤＭＩ規格に準拠した方式で接続されている各機器を識別するための４ビット（０〜１５）の値である。なお、アドレス管理テーブル１３００は、例えば、ＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  Ｒａｎｄｏｍ  Ａｃｃｅｓｓ  Ｍｅｍｏｒｙ）等の揮発性メモリに記憶されている。
【００４５】
テーブル更新部１４００は、有線インタフェース１１００及び無線インタフェース１２００から受信した各種メッセージに基づいて、アドレス管理テーブル１３００の内容を更新する。制御部１５００は、テーブル更新部１４００によってアドレス管理テーブル１３００が更新されたことを、有線インタフェース１１００及び無線インタフェース１２００の先に接続されている機器に通知する。テーブル更新部１４００及び制御部１５００の具体的な処理内容は後述する。
【００４６】
（実施の形態１）
図２は、本発明の実施の形態１における無線通信装置を用いた無線通信システムの構成の一例を示すブロック図である。図２において、受信側無線通信装置１０６は、ＨＤＭＩケーブル１０７でＴＶ１０８と接続され、ＨＤＭＩ規格に規定される「ＨＤＭＩ  Ｓｉｎｋ」を構成している。一方、送信側無線通信装置１０３は、ＨＤＭＩケーブル１０２でソース機器１０１と接続され、ＨＤＭＩ規格に規定される「ＨＤＭＩ  Ｓｏｕｒｃｅ」を構成している。
【００４７】
ＨＤＭＩケーブル１０７は、ＨＤＭＩ規格に規定された信号線を備える。例えば、ＨＤＭＩケーブル１０７は、ＨＰＤ（Ｈｏｔ  Ｐｌｕｇ  Ｄｅｔｅｃｔ）信号線１１７と、“＋５Ｖ  Ｐｏｗｅｒ”信号線１１８と、ＣＥＣ信号線１１９とを備える。ＨＤＭＩケーブル１０２も同様である。
【００４８】
なお、送信側無線通信装置１０３および受信側無線通信装置１０６が、それぞれ、「ＨＤＭＩ  Ｓｏｕｒｃｅ」および「ＨＤＭＩ  Ｓｉｎｋ」を構成している点は、以降の実施の形態についても同様である。また、図２では、送信側無線通信装置１０３にソース機器１０１が１台だけ有線接続されているが、これに限ることなく、複数のＣＥＣが有線接続されていていてもよい。この場合、ソース機器１０１に他のＣＥＣ機器が接続（送信側無線通信装置１０３に間接的に接続）される構成であってもよいし、送信側無線通信装置１０３が複数の有線インタフェースを備え、複数のＣＥＣ機器と直接的に接続される構成であってもよい。受信側無線通信装置１０６についても同様である。
【００４９】
なお、ソース機器１０１としては、ＤＶＤプレーヤ、セットトップボックス（ＳＴＢ：例えばチューナ）などの映像音声再生装置が考えられる。また、シンク機器としては、本発明ではＴＶ１０８を一例として説明するが、スピーカやディスプレイなどの映像音声出力（表示）装置が考えられる。
【００５０】
送信側無線通信装置１０３及び受信側無線通信装置１０６は、図１に示される無線通信装置１０００の一形態であり、内部構成および動作は同じであるので、本実施の形態１では、受信側無線通信装置１０６の構成と動作を中心に説明する。
【００５１】
図２に示される受信側無線通信装置１０６は、アンテナ１０５と、無線伝送部１０９と、ＣＥＣ受信論理アドレス更新部１１０と、ＣＥＣ受信論理アドレステーブル１１１と、ＣＥＣ受信論理アドレス更新検出部１１２と、ＣＥＣ制御部１１４と、ＣＥＣ論理アドレス収集部１１５と、ＣＥＣ論理アドレステーブル１１６と、有線インタフェース（図示省略）とを備える。
【００５２】
なお、アンテナ１０５及び無線伝送部１０９は、例えば、図１に示される無線インタフェース１２００に相当する。また、ＣＥＣ制御部１１４は、例えば、図１に示される制御部１５００に相当する。また、ＣＥＣ受信論理アドレス更新部１１０、ＣＥＣ受信論理アドレス更新検出部１１２、及びＣＥＣ論理アドレス収集部１１５は、例えば、図１に示されるテーブル更新部１４００に相当する。さらに、ＣＥＣ受信論理アドレステーブル１１１及びＣＥＣ論理アドレステーブル１１６は、例えば、図１に示されるアドレス管理テーブル１３００に相当する。
【００５３】
図示しない有線インタフェース（図１の有線インタフェース１１００に相当）は、ＨＤＭＩケーブル１０７を介してＴＶ１０８と接続されている。無線伝送部１０９は、高周波回路、ベースバンド処理回路、媒体アクセス制御回路などを含むが、どのような無線伝送方式を用いてもよく、本実施形態では説明を省略する。例えば、２．４ＧＨｚ帯や５ＧＨｚ帯の電波を用いたＩＥＥＥ８０２．１１で規定された無線伝送方式を利用することやミリ波帯の電波を用いた無線伝送方式を利用することが考えられる。
【００５４】
ここで、本発明においては、ＨＤＭＩケーブル１０７に接続され、ＣＥＣフレームの送受信を行える機器を「ＣＥＣ機器」と呼ぶ。本発明においては、ソース機器１０１が送信側無線通信装置１０３に接続されたＣＥＣ機器、ＴＶ１０８が受信側無線通信装置１０６に接続されたＣＥＣ機器となる。
【００５５】
ＣＥＣ制御部１１４は、ＨＤＭＩケーブル１０７に含まれるＣＥＣ信号線１１９を通じて、ＴＶ１０８との間でＣＥＣフレームを送受信すると共に、無線伝送部１０９との間でＣＥＣフレームを送受信する。また、ＣＥＣ制御部１１４は、“＋５Ｖ  Ｐｏｗｅｒ”信号線１１８に所定の時間幅のＬＯＷレベルパルスを出力したり、ＨＰＤ信号線１１７を通じて、ＴＶ１０８からＨＰＤ信号情報を取得したりする。
【００５６】
ＣＥＣ受信論理アドレス更新部１１０は、アンテナ１０５及び無線伝送部１０９を介して、ソース機器１０１又は送信側無線通信装置１０３から通知されたＣＥＣ論理アドレスをＣＥＣ受信論理アドレステーブル１１１に登録する。
【００５７】
ＣＥＣ受信論理アドレス更新検出部１１２は、ＣＥＣ受信論理アドレステーブル１１１の登録内容を定期的にチェックし、内容が更新されたことを検出すると、ＣＥＣ制御部１１４に通知する。ＣＥＣ制御部１１４は、“＋５Ｖ  Ｐｏｗｅｒ”信号線１１８に所定の時間幅のＬＯＷレベルパルスを出力し、無線伝送システム内の機器構成が変更されたことをＴＶ１０８通知する。なお、本実施の形態１におけるＣＥＣ受信論理アドレス更新検出部１１２の機能を、ＣＥＣ受信論理アドレス更新部１１０に持たせてもよい。その際は、ＣＥＣ受信論理アドレス更新部１１０は、ＣＥＣ受信論理アドレステーブル１１１の内容を更新すると共に、更新したことをＣＥＣ制御部１１４に通知する。
【００５８】
ＣＥＣ制御部１１４は、ＴＶ１０８からＣＥＣ信号線１１９を介してＣＥＣフレームを受信すると、当該ＣＥＣフレームに含まれる宛先アドレスをＣＥＣ受信論理アドレステーブル１１１に登録されているかどうかを判定する。そして、ＣＥＣ制御部１１４は、宛先アドレスがＣＥＣ受信論理アドレステーブル１１１に登録されている場合、当該ＣＥＣフレームを受信し、無線伝送部１０９に出力する。さらに、ＣＥＣ制御部１１４は、ＣＥＣ信号線１１９に当該ＣＥＣフレームに対する受信応答信号（ＡＣＫ）を出力する。
【００５９】
一方、ＣＥＣ制御部１１４は、ＣＥＣフレームに含まれる宛先アドレスがＣＥＣ受信論理アドレステーブル１１１に登録されていない場合、当該ＣＥＣフレームを受信することなく破棄し、ＣＥＣ信号線１１９に当該ＣＥＣフレームに対する受信応答信号（ＮＡＣＫ）を出力する。
【００６０】
ＣＥＣ論理アドレス収集部１１５は、ＣＥＣ制御部１１４を介して、定期的な周期でＣＥＣ信号線１１９に接続されているＣＥＣ機器のＣＥＣ論理アドレスを収集する。そして、ＣＥＣ論理アドレス収集部１１５は、収集したＣＥＣ論理アドレスをＣＥＣ論理アドレステーブル１１６に登録する。また、ＣＥＣ論理アドレス収集部１１５は、ＣＥＣ論理アドレステーブル１１６の登録内容が更新された判定した場合には、無線伝送部１０９及びアンテナ１０５を介して、送信側無線通信装置１０３及びソース機器１０１に変更を通知する。
【００６１】
なお、送信側無線通信装置１０３は、受信側無線通信装置１０６と同様に構成されている（図示せず）が、送信側無線通信装置１０３におけるＣＥＣ制御部１１４は、“＋５Ｖ  Ｐｏｗｅｒ”信号線１１８の代わりにＨＰＤ信号線１１７に所定の時間幅のＬＯＷレベルパルスを出力する点が異なる。
【００６２】
以下、受信側無線通信装置１０６を中心に本発明における動作を説明する。
【００６３】
ＣＥＣ論理アドレステーブル１１６には、受信側無線通信装置１０６のＨＤＭＩケーブル１０７に含まれるＣＥＣ信号線１１９に接続されているＣＥＣ機器のＣＥＣ論理アドレスの集合（リスト）が登録されている。ＣＥＣ論理アドレスを登録する方法としては、本実施の形態１では、以下のように実現しているが、必ずしもこの通りである必要はない。例えば、受信側無線通信装置１０６のＣＥＣ論理アドレス収集部１１５は、定期的な周期でＣＥＣ制御部１１４を介してＣＥＣ信号線１１９に対してポーリングを行う。あるいは、ＣＥＣ信号線１１９から受信したＣＥＣフレームに含まれる送信元ＣＥＣ論理アドレスを抽出する。
【００６４】
そして、ＣＥＣ論理アドレス収集部１１５は、収集したＣＥＣ論理アドレスをＣＥＣ論理アドレステーブル１１６に保存する。さらに、ＣＥＣ論理アドレス収集部１１５は、ＣＥＣ論理アドレステーブル１１６の更新前後の内容を比較し、ＣＥＣ論理アドレスの集合が更新されたことを検出した場合に、無線伝送部１０９及びアンテナ１０５を介して、ＣＥＣ論理アドレスの集合を含む無線データパケット（リスト交換メッセージ）を送信側無線通信装置１０３に送信する。
【００６５】
同様に、送信側無線通信装置１０３は、図３に示されるように、自装置のＣＥＣ論理アドレステーブルが更新された場合に、ＣＥＣ論理アドレスの集合を含む無線データパケット（リスト交換メッセージ）を、受信側無線通信装置１０６に無線送信する。
【００６６】
受信側無線通信装置１０６は、アンテナ１０５及び無線伝送部１０９を介して、ＣＥＣ論理アドレスの集合を含む無線データパケットを受信し（図４のステップＳ１００１）、ＣＥＣ受信論理アドレス更新部１１０に通知する。次に、ＣＥＣ受信論理アドレス更新部１１０は、受信したＣＥＣ論理アドレスによってＣＥＣ受信論理アドレステーブル１１１を更新する（ステップＳ１００３）。このとき、受信した無線データパケットに含まれるＣＥＣ論理アドレスの集合にブロードキャストアドレス「１５」が含まれていなければ、これを追加（ステップＳ１００２）してから、ＣＥＣ受信論理アドレステーブル１１１に保存するのが望ましい。
【００６７】
次に、ＣＥＣ受信論理アドレス更新検出部１１２は、ＣＥＣ受信論理アドレステーブル１１１の更新を検出し、ＣＥＣ制御部１１４に通知する。通知を受けたＣＥＣ制御部１１４は、図３に示されるように、“＋５Ｖ  Ｐｏｗｅｒ”信号線１１８に所定の時間幅のＬＯＷレベルパルスを出力することにより、ＴＶ１０８に新規なＣＥＣ論理アドレスが登録されたことを通知する。
【００６８】
ＴＶ１０８は、“＋５Ｖ  Ｐｏｗｅｒ”信号線１１８に所定の時間幅のＬＯＷレベルパルスが出力されたことを検出すると、ＨＤＭＩケーブル１０７の先に接続されている機器に対してポーリングを行い、ＣＥＣ論理アドレスを収集する。
【００６９】
次に、図５に示されるように、ＴＶ１０８がソース機器１０１宛のＣＥＣメッセージを含むＣＥＣフレームをＣＥＣ信号線１１９に送信すると、ＣＥＣ制御部１１４は、ＣＥＣ信号線１１９を介して受信したＣＥＣフレームに含まれるＣＥＣ宛先論理アドレス、すなわち、ソース機器１０１のＣＥＣ論理アドレスがＣＥＣ受信論理アドレステーブル１１１に登録されているかどうかを判定する。
【００７０】
この場合、ソース機器１０１のＣＥＣ論理アドレスはＣＥＣ受信論理アドレステーブル１１１に登録されているため、ＣＥＣ制御部１１４は、図５の上段に示されるように、当該ＣＥＣフレームを受信するとともに、ＣＥＣ信号線１１９に当該ＣＥＣフレームに対する受信応答信号（ＡＣＫ）を出力する。そして、ＣＥＣ制御部１１４は、ＴＶ１０８から受信したＣＥＣメッセージを含む無線データパケットを生成し、無線伝送部１０９及びアンテナ１０５を介して当該無線データパケットを送信側無線通信装置１０３へ伝送する。
【００７１】
送信側無線通信装置１０３は、アンテナ１０４を介して受信した無線データパケットからＣＥＣメッセージを取り出してＣＥＣフレームを生成し、当該ＣＥＣフレームをＨＤＭＩケーブル１０２を介してソース機器１０１へ伝送する。
【００７２】
一方、ＴＶ１０８が送信したＣＥＣフレームのＣＥＣ宛先論理アドレスがＣＥＣ受信論理アドレステーブル１１１に登録されていない場合、ＣＥＣ制御部１１４は、図５の下段に示されるように、当該ＣＥＣフレームを破棄すると共に、ＣＥＣ信号線１１９に当該ＣＥＣフレームに対する否定応答信号（ＮＡＣＫ）を出力する。
【００７３】
同様に、ソース機器１０１が送信したＴＶ１０８宛のＣＥＣメッセージは、送信側無線通信装置１０３、アンテナ１０４、及びアンテナ１０５を介してＣＥＣ受信論理アドレス更新部１１０及びＣＥＣ制御部１１４に入力される。ＣＥＣ制御部１１４は、受信したＣＥＣメッセージからＣＥＣフレームを生成し、当該ＣＥＣフレームをＨＤＭＩケーブル１０７を介してＴＶ１０８に出力する。
【００７４】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００７５】
ＣＥＣ受信論理アドレス更新検出部１１２は、ＣＥＣ受信論理アドレス更新部１１０によってＣＥＣ受信論理アドレステーブル１１１が更新されたことを検出し、ＣＥＣ制御部１１４に通知する。ＣＥＣ制御部１１４は、ＣＥＣ受信論理アドレス更新検出部１１２からの通知を受けた場合、ＣＥＣ信号線１１９を介してＣＥＣ論理アドレスを持つＣＥＣ機器（本実施の形態１の場合、ＴＶ１０８）に対して、ＣＥＣ受信論理アドレステーブル１１１の更新を通知する。
具体的には、ＣＥＣ制御部１１４は、“＋５Ｖ  Ｐｏｗｅｒ”信号線１１８に所定の時間幅のＬＯＷレベルパルスを出力し、ＴＶ１０８に新規アドレスが登録されたことを通知する。
【００７６】
本実施の形態１によれば、送信側無線通信装置１０３に有線接続されているＣＥＣ機器のＣＥＣ論理アドレスをＣＥＣ受信論理アドレステーブル１１１で管理し、ＣＥＣ受信論理アドレステーブル１１１の更新をＴＶ１０８に通知することで、ＴＶ１０８が常に最新の機器構成を把握することができる。
【００７７】
また、受信したＣＥＣメッセージのＣＥＣ宛先アドレスがＣＥＣ受信論理アドレステーブル１１１に含まれる場合に、適切なタイミングでＡＣＫを出力することができる。その結果、従来のようにＣＥＣメッセージが再送されることがなくなり、ソース機器１０１とＴＶ１０８との間で送受信されるＣＥＣメッセージのスループットを著しく向上させることがとなる。
【００７８】
なお、本実施の形態１において、ＣＥＣ受信論理アドレス更新部１１０は、他の無線通信装置からＣＥＣ論理アドレスの集合を通知される構成としたが、ＣＥＣメッセージを含む無線データパケットを受信した場合に、ＣＥＣメッセージに含まれる送信元ＣＥＣ論理アドレスを抽出し、ＣＥＣ受信論理アドレステーブルを更新する構成とすることも可能である。
【００７９】
また、受信側無線通信装置１０６は、起動した後、最初のＣＥＣ論理アドレスの集合を含む無線データパケットを受信し、ＣＥＣ受信論理アドレステーブル１１１を更新するまでの期間、“＋５Ｖ  Ｐｏｗｅｒ”信号線１１８（送信側無線通信装置１０３の場合はＨＰＤ信号線）をＬｏｗレベルに維持してもよい。これにより、受信側無線通信装置１０６に接続されているＣＥＣ機器が、誤ったＣＥＣ論理アドレス情報を取得することを防ぐ効果を得ることも可能である。
【００８０】
（実施の形態２）
本実施の形態２に係る受信側無線通信装置２０６は、送信側無線通信装置２０３に有線接続されているＣＥＣ機器に変更があったことを検出した場合に、システム構成が変更されたことを、受信側無線通信装置２０６自身が他のＣＥＣ機器に通知する。
【００８１】
図６は、本発明の実施の形態２における無線通信装置を用いた無線通信システムの構成図である。図６において、実施の形態１と同じ動作を行う構成要素については同じ符号を用い、説明を省略する。また、送信側無線通信装置２０３および受信側無線通信装置２０６は、図１に示される無線通信装置１０００の他の形態であり、各構成要素の対応関係は実施の形態１と共通である。
【００８２】
図６において、ＣＥＣ受信論理アドレス更新検出部２１２は、ＣＥＣ受信論理アドレステーブル１１１に新規アドレスが登録されたことを検出すると、ＣＥＣ制御部２１４に通知する。ＣＥＣ制御部２１４は、ＣＥＣ受信論理アドレス更新検出部２１２から新規アドレスが登録されたことが通知されると、ＨＤＭＩ規格に規定されたＣＥＣメッセージのひとつであるレポート・フィジカル・アドレス（Ｒｅｐｏｒｔ  Ｐｈｙｓｉｃａｌ  Ａｄｄｒｅｓｓ）メッセージを含むＣＥＣフレームを生成してＣＥＣ信号線１１９に出力し、ＴＶ１０８に無線通信システム構成が変更されたことを通知する。
【００８３】
今、送信側無線通信装置２０３に有線接続されているソース機器１０１に新しいＣＥＣ機器が接続された場合について考える。
【００８４】
図７に示されるように、ソース機器１０１に新たに接続されたＣＥＣ機器（図示省略）が送信したＴＶ１０８宛のＣＥＣメッセージは、送信側無線通信装置２０３、アンテナ１０４、及びアンテナ１０５を介してＣＥＣ受信論理アドレス更新部１１０及びＣＥＣ制御部２１４に入力される。ＣＥＣ制御部２１４は、受信したＣＥＣメッセージからＣＥＣフレームを生成し、当該ＣＥＣフレームをＨＤＭＩケーブル１０７を介してＴＶ１０８に出力する。
【００８５】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００８６】
ＣＥＣ受信論理アドレス更新検出部２１２は、ＣＥＣ受信論理アドレステーブル１１１に新しいＣＥＣ論理アドレスが登録されたことを検出し、ＣＥＣ制御部２１４に通知する。ＣＥＣ制御部２１４は、ＣＥＣ受信論理アドレス更新検出部２１２からの通知をうけ、レポート・フィジカル・アドレスメッセージを含むＣＥＣフレームを生成し、当該ＣＥＣフレームをＣＥＣ信号線１１９に出力する。なお、ここで生成されるレポート・フィジカル・アドレスメッセージには、ソース機器１０１に新たに接続されたＣＥＣ機器のＣＥＣ物理アドレスとＣＥＣ論理アドレスとが含まれる。
【００８７】
このＣＥＣフレームを受信したＴＶ１０８は、ソース機器１０１側のシステムに新しくＣＥＣ機器が接続されたことを認識する。
【００８８】
なお、本実施の形態２におけるＣＥＣ受信論理アドレス更新検出部２１２の機能を、ＣＥＣ受信論理アドレス更新部１１０に持たせてもよい。その際は、ＣＥＣ受信論理アドレス更新部１１０は、ＣＥＣ受信論理アドレステーブル１１１の内容を更新すると共に、更新したことをＣＥＣ制御部２１４に通知する。
【００８９】
本実施の形態２によれば、送信側無線通信装置２０３に有線接続されるＣＥＣ機器に変更があったことを、“＋５Ｖ  ｐｏｗｅｒ”信号線１１８やＨＰＤ信号線１１７にＬｏｗレベルパルスを出力することなく、通知することが可能となる。“＋５Ｖ  Ｐｏｗｅｒ”信号線１１８やＨＰＤ信号線１１７にＬｏｗレベルパルスを出力すると、映像信号や音声信号が途切れ、再同期が必要となる。しかしながら、本実施の形態２では、映像信号や音声信号を途切れさせることなくＣＥＣ機器のシステム構成の変更を通知することが可能となる。
【００９０】
（実施の形態３）
本実施の形態３に係る受信側無線通信装置３０６は、送信側無線通信装置３０３に有線接続されているＣＥＣ機器に変更があったことを検出した場合に、システム構成が変更されたことを、当該変更されたＣＥＣ機器から他のＣＥＣ機器に通知させる。
【００９１】
図８は、本発明の実施の形態３における無線通信装置を用いた無線通信システムの構成図である。
【００９２】
図８において、実施の形態１、２と同じ動作を行う構成要素については同じ符号を用い、説明を省略する。また、送信側無線通信装置３０３および受信側無線通信装置３０６は、図１に示される無線通信装置１０００の他の形態であり、各構成要素の対応関係は実施の形態１と共通である。
【００９３】
ＣＥＣ受信論理アドレス更新検出部２１２は、ＣＥＣ受信論理アドレステーブル１１１に新規アドレスが登録されたことを検出すると、ＣＥＣ制御部３１４に通知する。ＣＥＣ制御部３１４は、ＣＥＣ受信論理アドレス更新検出部２１２から新規アドレスが登録されたことが通知されると、ＨＤＭＩ規格に規定されたＣＥＣメッセージのひとつであるギブ・フィジカル・アドレス（Ｇｉｖｅ  Ｐｈｙｓｉｃａｌ  Ａｄｄｒｅｓｓ）メッセージを生成して、無線伝送部１０９、アンテナ１０５、及び送信側無線通信装置３０３を介して、当該新たに接続されたＣＥＣ機器に送信する。
【００９４】
以下、本実施の形態３の詳細な動作について説明する。
【００９５】
今、送信側無線通信装置３０３に有線接続されているソース機器１０１に新しいＣＥＣ機器が接続された場合について考える。
【００９６】
図９に示されるように、ソース機器１０１に新たに接続されたＣＥＣ機器（図示省略）が送信したＴＶ１０８宛のＣＥＣメッセージは、送信側無線通信装置２０３、アンテナ１０４、及びアンテナ１０５を介してＣＥＣ受信論理アドレス更新部１１０及びＣＥＣ制御部２１４に入力される。ＣＥＣ制御部２１４は、受信したＣＥＣメッセージからＣＥＣフレームを生成し、当該ＣＥＣフレームをＨＤＭＩケーブル１０７を介してＴＶ１０８に出力する。
【００９７】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００９８】
ＣＥＣ受信論理アドレス更新検出部２１２は、ＣＥＣ受信論理アドレステーブル１１１に新規アドレスが登録されたことを検出すると、ＣＥＣ制御部３１４に通知する。ＣＥＣ制御部３１４は、ＣＥＣ受信論理アドレス更新検出部２１２から新規アドレスが登録されたことが通知されると、ギブ・フィジカル・アドレスメッセージを含む無線データパケットを生成し、当該無線データパケットを無線伝送部１０９及びアンテナ１０５を介して、送信側無線通信装置３０３に無線送信する。
【００９９】
送信側無線通信装置３０３は、アンテナ１０４を介して受信側無線通信装置３０６から無線データパケットを受信し、ギブ・フィジカル・アドレスメッセージを含むＣＥＣフレームを生成し、当該ＣＥＣフレームをＨＤＭＩケーブル１０２のＣＥＣ信号線を介して、ソース機器１０１に新たに接続されたＣＥＣ機器に出力する。
【０１００】
ソース機器１０１に新たに接続されたＣＥＣ機器は、ギブ・フィジカル・アドレスメッセージを受信すると、ＨＤＭＩの規定に基づき、レポート・フィジカル・アドレスメッセージを含むＣＥＣフレームを生成し、当該ＣＥＣフレームをソース機器１０１を介して送信側無線通信装置３０３に出力する。なお、ここで生成されるレポート・フィジカル・アドレスメッセージには、ソース機器１０１に新たに接続されたＣＥＣ機器のＣＥＣ物理アドレスとＣＥＣ論理アドレスとが含まれる。
【０１０１】
送信側無線通信装置３０３は、レポート・フィジカル・メッセージを含む無線データパケットを生成し、当該無線データパケットをアンテナ１０４を介して受信側無線通信装置３０６に無線送信する。
【０１０２】
受信側無線通信装置３０６は、レポート・フィジカル・アドレスメッセージを含む無線データパケットを受信すると、レポート・フィジカル・メッセージを含むＣＥＣフレームを生成し、当該ＣＥＣフレームをＣＥＣ制御部３１４及びＣＥＣ信号線１１９を介して、ＴＶ１０８に出力する。ＴＶ１０８は、受信したＣＥＣフレームより、ソース機器１０１側のシステムに新しく接続されたＣＥＣ機器のＣＥＣ論理アドレスを取得する。
【０１０３】
実施の形態２では、レポート・フィジカル・アドレスメッセージに必要なＣＥＣ物理アドレスを、受信側無線通信装置２０６で取得・管理する手段が別途必要となるが、本実施の形態３によれば、レポート・フィジカル・アドレスメッセージはギブ・フィジカル・メッセージを受信したＣＥＣ機器自身が生成するので、受信側無線通信装置３０６は、ＣＥＣ物理アドレスを取得・管理する必要がない。
【０１０４】
（実施の形態４）
本実施の形態４に係る受信側無線通信装置４０６は、受信側無線通信装置４０６に有線接続されているＣＥＣ機器の構成に変更があった場合に、システム構成が変更されたことを、当該変更されたＣＥＣ機器から他のＣＥＣ機器に通知させる。
【０１０５】
図１０は、本発明の実施の形態４における無線通信装置を用いた無線通信システムの構成の一例である。図１０において、実施の形態１〜３と同じ構成要素については同じ符号を用い、説明を省略する。また、送信側無線通信装置４０３および受信側無線通信装置４０６は、図１に示される無線通信装置１０００の他の形態であり、各構成要素の対応関係は実施の形態１と共通である。
【０１０６】
図１０において、ＣＥＣ制御部４１４は、ギブ・フィジカル・アドレスメッセージを含むＣＥＣフレームを生成して、ＣＥＣ信号線１１９に出力する。ＴＶ４０８は、ＣＥＣ制御部４１４からのＣＥＣフレームを受信し、他のＨＤＭＩ信号線を介して接続されているＣＥＣ機器のシステム構成が変更されたか否かを検知する。そして、ＴＶ４０８は、システム構成が変更されていた場合に、無線通信システム内の他のＣＥＣ機器側にシステム構成が変更されたことを通知する。
【０１０７】
以下、本実施の形態４の動作を詳細に説明する。
【０１０８】
今、受信側無線通信装置４０６に有線接続されているＴＶ４０８に新しいＣＥＣ機器が接続された場合について考える。
【０１０９】
図１１に示されるように、ＣＥＣ論理アドレス収集部１１５は、ＨＤＭＩケーブル１０７に直接的又は間接的に接続されているＣＥＣ機器のシステム構成の変更を監視する。具体的な方法は限定されないが、例えば、定期的にポーリングを行ってＣＥＣ機器の追加・削除を検出しても良いし、ＣＥＣ信号線１１９を介して受信したＣＥＣフレームの送信元アドレスを監視してもよい。
【０１１０】
そして、ＣＥＣ論理アドレス収集部１１５は、ＴＶ４０８に新しいＣＥＣ機器（図示省略）が接続されたこと、すなわち、ＣＥＣ論理アドレステーブル１１６の内容が更新されたことを検知すると、ＣＥＣ制御部４１４に通知する。ＣＥＣ制御部４１４は、ＣＥＣ論理アドレス収集部１１５からの通知を受け、ギブ・フィジカル・アドレスメッセージを含むＣＥＣフレームを生成し、当該ＣＥＣフレームをＣＥＣ信号線１１９を介してＴＶ４０８に新たに接続されたＣＥＣ機器に出力する。
【０１１１】
ＴＶ４０８に新たに接続されたＣＥＣ機器は、ギブ・フィジカル・アドレスメッセージを受信すると、ＨＤＭＩの規定に基づき、レポート・フィジカル・アドレスメッセージを含むＣＥＣフレームを生成し、当該ＣＥＣフレームをＴＶ４０８を介して受信側無線通信装置４０６に出力する。なお、ここで生成されるレポート・フィジカル・アドレスメッセージには、ＴＶ４０８に新たに接続されたＣＥＣ機器のＣＥＣ物理アドレスとＣＥＣ論理アドレスとが含まれる。
【０１１２】
ＣＥＣ制御部４１４は、ＣＥＣ信号線１１９を介して新たに接続されたＣＥＣ機器から受信したレポート・フィジカル・メッセージを含むＣＥＣフレームを無線伝送部１０９に出力する。無線伝送部１０９は、ＣＥＣ制御部４１４より受信したＣＥＣメッセージを含む無線データパケットを生成し、当該無線データパケットをアンテナ１０５を介して送信側無線通信装置４０３に無線送信する。
【０１１３】
送信側無線通信装置４０３は、レポート・フィジカル・アドレスメッセージを含む無線データパケットを受信し、当該レポート・フィジカル・アドレスメッセージを含むＣＥＣフレームを生成し、当該ＣＥＣフレームをＨＤＭＩケーブル１０２に出力することによって、ＴＶ４０８に新たにＣＥＣ機器が接続されたことを、ソース機器１０１へ通知する。
【０１１４】
本実施の形態４によれば、受信側無線通信装置４０６に有線接続されるＣＥＣ機器の構成に変更があった場合に、当該変更されたＣＥＣ機器から無線通信システム内の他のＣＥＣ機器に、システム構成が変更されたことを通知させることができる。
【０１１５】
（実施の形態５）
本実施の形態５に係る受信側無線通信装置５０６は、受信側無線通信装置５０６に有線接続されているＣＥＣ機器の構成に変更があった場合に、システム構成が変更されたことを、受信側無線通信装置５０６自身で他のＣＥＣ機器に通知する。
【０１１６】
図１２は、本発明の実施の形態５における無線通信装置を用いた無線通信システムの構成図である。図１２において、実施の形態１〜４と同じ構成要素については同じ符号を用い、説明を省略する。また、送信側無線通信装置５０３および受信側無線通信装置５０６は、図１に示される無線通信装置１０００の他の形態であり、各構成要素の対応関係は実施の形態１と共通である。
【０１１７】
図１２において、ＣＥＣ制御部５１４は、ＣＥＣ論理アドレス収集部１１５より登録内容の変更通知を受けると、ＨＤＭＩ規格に規定されたＣＥＣメッセージのひとつであるレポート・フィジカル・アドレスメッセージを生成して、無線伝送部１０９及びアンテナ１０５を介して送信側無線通信装置５０３に出力する。
【０１１８】
以下、本実施の形態５の動作を詳細に説明する。
【０１１９】
今、受信側無線通信装置５０６に有線接続されているＴＶ４０８に新しいＣＥＣ機器が接続された場合について考える。
【０１２０】
図１３に示されるように、受信側無線通信装置５０６のＣＥＣ論理アドレス収集部１１５は、ＣＥＣ論理アドレステーブル１１６の内容が更新したことを検知し、ＣＥＣ制御部５１４に通知する。ＣＥＣ制御部５１４は、ＣＥＣ論理アドレス収集部１１５の通知を受け、レポート・フィジカル・アドレスメッセージを生成し、無線伝送部１０９に出力する。無線伝送部１０９は、ＣＥＣ制御部５１４から入力されたレポート・フィジカル・アドレスメッセージを含む無線データパケットを生成し、当該無線データパケットをアンテナ１０５を介して無線送信する。なお、ここで生成されるレポート・フィジカル・アドレスメッセージには、ＴＶ４０８に新たに接続されたＣＥＣ機器のＣＥＣ物理アドレスとＣＥＣ論理アドレスとが含まれる。
【０１２１】
送信側無線通信装置５０３は、レポート・フィジカル・アドレスメッセージを含む無線データパケットを受信し、当該レポート・フィジカル・アドレスメッセージを含むＣＥＣフレームを生成し、当該ＣＥＣフレームをＨＤＭＩケーブル１０２に出力することによって、受信側無線通信装置５０６に接続されているＣＥＣ機器のシステム構成が変更されたことを、ソース機器１０１へ通知する。
【０１２２】
本実施の形態５によれば、受信側無線通信装置５０６に有線接続されているＣＥＣ機器のシステム構成が変更された場合に、受信側無線通信装置５０６から無線通信システム内の他のＣＥＣ機器にシステム構成が変更されたことを直接通知することができる。
【０１２３】
（実施の形態６）
図１４は、本発明の実施の形態６における無線通信装置を用いた無線通信システムの一構成を示すブロック図である。図１４において、実施の形態１〜５と同じ構成要素については同じ符号を用い、説明を省略する。また、送信側無線通信装置６０３および受信側無線通信装置６０６は、図１に示される無線通信装置１０００の他の形態であり、各構成要素の対応関係は実施の形態１と共通である。
【０１２４】
図１４において、ＣＥＣ受信論理アドレス更新検出部６１９は、ＣＥＣ受信論理アドレステーブル１１１が更新されたか否かを判定する。そして、更新されたと判定した場合、ＣＥＣ受信論理アドレス更新検出部６１９は、ＣＥＣ受信論理アドレステーブル１１１に登録されているＣＥＣ論理アドレスの集合を不揮発性メモリ６２０に保存（コピー）する。
【０１２５】
図１５は、本発明の実施の形態６におけるＣＥＣ受信論理アドレス更新検出部６１９によって実行される不揮発性メモリ６２０の更新処理のフローチャートである。
【０１２６】
まず、ＣＥＣ受信論理アドレス更新検出部６１９は、ＣＥＣ受信論理アドレステーブル１１１が更新されたか否かの判定を行う（ステップＳ２００１）。そして、ＣＥＣ受信論理アドレステーブル１１１が更新された場合（ステップＳ２００１でＹＥＳ）、ＣＥＣ受信論理アドレス更新検出部６１９は、ＣＥＣ受信論理アドレステーブル１１１に含まれるＣＥＣ論理アドレスの集合を不揮発性メモリ６２０に保存する（ステップＳ２００２）。
【０１２７】
図１６および図１７は、本発明の実施の形態６におけるＣＥＣ受信論理アドレス更新検出部６１９によって実行されるＣＥＣ受信論理アドレステーブル１１１の初期化処理のフローチャートである。図１６は、受信側無線通信装置６０６のＣＥＣ受信論理アドレステーブル１１１の初期化処理のフローチャートである。図１７は、送信側無線通信装置６０３のＣＥＣ受信論理アドレステーブルの初期化処理のフローチャートである。
【０１２８】
まず、図１６を参照して、受信側無線通信装置６０６における初期化処理について説明する。
【０１２９】
受信側無線通信装置６０６が起動すると、ＣＥＣ受信論理アドレス更新検出部６１９は、不揮発性メモリ６２０からＣＥＣ論理アドレスの集合を読み出す（ステップＳ３００１）。次に、ＣＥＣ受信論理アドレス更新検出部６１９は、読み出したＣＥＣ論理アドレスの集合に、ＣＥＣ論理アドレスにおけるブロードキャストアドレスである「１５」を追加する（ステップＳ３００２）。そして、ＣＥＣ受信論理アドレス更新検出部６１９は、ＣＥＣ論理アドレスの集合をＣＥＣ受信論理アドレステーブル１１１に保存する（ステップＳ３００３）。
【０１３０】
次に、図１７を参照して、送信側無線通信装置６０３における初期化処理について説明する。
【０１３１】
送信側無線通信装置６０３の初期化処理におけるステップＳ４００１、Ｓ４００２、Ｓ４００４は、受信側無線通信装置６０６の初期化処理におけるステップＳ３００１、Ｓ３００２、Ｓ３００３にそれぞれ対応する。相違点は、ステップＳ４００２とステップＳ４００４との間に、ＣＥＣ論理アドレスの集合にルート機器（本実施の形態６の場合、ＴＶ１０８）の論理アドレスである「０」を追加するステップＳ４００３を追加した点である。
【０１３２】
本実施の形態６によれば、ＣＥＣ受信論理アドレステーブル１１１には、常にＣＥＣ論理アドレス「１５」が含まれる。このため、ブロードキャスト宛のＣＥＣメッセージを、起動直後から常に受信し、無線中継することが可能となる。このことにより、新たにＣＥＣ信号線１１９に接続されたＣＥＣ機器が、まず、ブロードキャスト宛のＣＥＣメッセージを発行するものとすれば、ＣＥＣ制御部５１４は、常に、新たにＣＥＣ信号線１１９に接続されたＣＥＣ機器からのブロードキャスト宛のＣＥＣメッセージを中継することができる。
【０１３３】
このとき、ＣＥＣ論理アドレス収集部１１５においてＣＥＣメッセージの送信元ＣＥＣ論理アドレスを収集することにより、ＣＥＣ信号線１１９に接続されているＣＥＣ機器のＣＥＣ論理アドレスを取得することが可能となる。その結果、必ずしも定期的な周期でＣＥＣ信号線１１９をポーリングする必要がなくなり、ＣＥＣ信号線１１９のトラフィックを低減することが可能となる。
【０１３４】
また、ＣＥＣ受信論理アドレステーブル１１１には、初期化直後において前回終了時のＣＥＣ論理アドレスの集合が含まれる。このため、前回終了時以降で今回の起動までの間に他のＣＥＣ機器のＣＥＣ論理アドレスの割り当てに変更がない場合には、送信側無線通信装置６０３からリスト交換メッセージを受信したりしなくとも、ＣＥＣメッセージの無線中継を行うことが可能となる。
【０１３５】
さらに、送信側無線通信装置６０３のＣＥＣ受信論理アドレステーブルは、初期状態において受信側無線通信装置６０６に接続されるルート機器に付与されるＣＥＣ論理アドレス「０」を含む。このため、本実施の形態６におけるルート機器であるＴＶ１０８宛のＣＥＣメッセージは、起動直後から受信し、無線中継することが可能となる。
【０１３６】
なお、本発明の実施の形態６は、本発明の実施の形態１〜５のいずれと組み合わせて実施することも可能である。
【０１３７】
また、本発明の実施の形態１〜６記載の無線通信装置を混在させて実施することも可能である。
【０１３８】
また、本発明の実施の形態１〜６においては、送信側及び受信側の無線通信装置をそれぞれ１つとして説明したが、それぞれ複数とする構成も可能である。
【０１３９】
（その他変形例）
なお、本発明を上記実施の形態に基づいて説明してきたが、本発明は、上記の実施の形態に限定されないのはもちろんである。以下のような場合も本発明に含まれる。
【０１４０】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４１】
上記の各装置を構成する構成要素の一部（例えば、各ブロック図の破線で囲まれた部分）または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【０１４２】
上記の各装置を構成する構成要素の一部（例えば、各ブロック図の破線で囲まれた部分）または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１４３】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０１４４】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０１４５】
また、本発明は、コンピュータプログラムまたはデジタル信号を、電気通信回線、無線または有線通信回線、インターネットを代表とするネットワーク、データ放送等を経由して伝送するものとしてもよい。
【０１４６】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０１４７】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１４８】
上記実施の形態をそれぞれ組み合わせてもよい。
【０１４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１５０】
本発明にかかる無線通信装置は、ＣＥＣ無線中継のスループットを著しく向上させる。また、ＣＥＣ機器の接続形態や論理アドレス割り当てが変更された場合には、ＨＤＭＩインタフェース上の他の機器に随時通知することが可能となる。そのため、ＨＤＭＩを無線中継する無線通信システム等として有用である。
【符号の説明】
【０１５１】
１Ａ  ソース装置
２Ａ  シンク装置
１０Ａ，２０Ａ，５０，６０  コントローラ
１１，２１  ＲＯＭ
１３  ＤＶＤプレーヤ
１４，２４  ＣＥＣコントローラ
２２  スピーカ
２３  ディスプレイ
３０  音声信号及び映像信号処理回路
５１，５５，６１，６５  有線送受信回路
５２，６２  ＲＡＭ
５４，６４  無線送受信回路
５６，６６，１０４，１０５  アンテナ
５７，６７  アダプタ装置
１０１  ソース機器
１０２，１０７  ＨＤＭＩケーブル
１０３，２０３，３０３，４０３，５０３，６０３  送信側無線通信装置
１０６，２０６，３０６，４０６，５０６，６０６  受信側無線通信装置
１０８，４０８  ＴＶ
１０９  無線伝送部
１１０  ＣＥＣ受信論理アドレス更新部
１１１  ＣＥＣ受信論理アドレステーブル
１１２，２１２，５１２，６１９  ＣＥＣ受信論理アドレス更新検出部
１１４，２１４，３１４，４１４，５１４  ＣＥＣ制御部
１１５  ＣＥＣ論理アドレス収集部
１１６  ＣＥＣ論理アドレステーブル
１１７  ＨＰＤ信号線
１１８  “＋５Ｖ  Ｐｏｗｅｒ”信号線
１１９  ＣＥＣ信号線
６２０  不揮発性メモリ
１０００  無線通信装置
１１００  有線インタフェース
１２００  無線インタフェース
１３００  アドレス管理テーブル
１４００  テーブル更新部
１５００  制御部
【図１】
2010100877.tif 000003
【図２】
2010100877.tif 000004
【図３】
2010100877.tif 000005
【図４】
2010100877.tif 000006
【図５】
2010100877.tif 000007
【図６】
2010100877.tif 000008
【図７】
2010100877.tif 000009
【図８】
2010100877.tif 000010
【図９】
2010100877.tif 000011
【図１０】
2010100877.tif 000012
【図１１】
2010100877.tif 000013
【図１２】
2010100877.tif 000014
【図１３】
2010100877.tif 000015
【図１４】
2010100877.tif 000016
【図１５】
2010100877.tif 000017
【図１６】
2010100877.tif 000018
【図１７】
2010100877.tif 000019
【図１８】
2010100877.tif 000020
【図１９】
2010100877.tif 000021
【手続補正書】
【提出日】平成23年6月20日(2011.6.20)
【手続補正１】
【補正対象書類名】明細書
【補正対象項目名】全文
【補正方法】変更
【補正の内容】
【発明の詳細な説明】
【技術分野】
【０００１】
本発明は、複数の無線通信装置間でＨＤＭＩにおけるＣＥＣメッセージの中継伝送を可能とする無線通信装置に関するものである。
【背景技術】
【０００２】
非特許文献１で規格化されているＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）メッセージは、有線接続された装置間で送受信されるのが一般的である。
【０００３】
このＣＥＣメッセージを無線で中継伝送する無線通信システムとして、たとえば、特許文献１に記載されているようなものがあった。
【０００４】
図１８は、特許文献１に記載された従来の無線通信システムの構成を示すブロック図である。図１８において、無線通信システムは、ソース装置１Ａと、シンク装置２Ａと、アダプタ装置５７と、アダプタ装置６７とを備える。
【０００５】
ソース装置１Ａは、有線送受信回路５５と、コントローラ１０Ａと、ＲＯＭ１１と、ＤＶＤプレーヤ１３と、ＣＥＣコントローラ１４とを備える。シンク装置２Ａは、有線送受信回路６５と、コントローラ２０Ａと、ＲＯＭ２１と、スピーカ２２と、ディスプレイ２３と、ＣＥＣコントローラ２４と、音声信号及び映像信号処理回路３０とを備える。アダプタ装置５７は、コントローラ５０と、有線送受信回路５１と、ＲＡＭ５２と、無線送受信回路５４と、アンテナ５６とを備える。アダプタ装置６７は、コントローラ６０と、有線送受信回路６１と、ＲＡＭ６２と、無線送受信回路６４と、アンテナ６６とを備える。
【０００６】
ソース装置１Ａとアダプタ装置５７とは、ケーブルＣ１を介して互いに有線接続される。シンク装置２Ａとアダプタ装置６７とは、ケーブルＣ２を介して互いに有線接続される。一方、アダプタ装置５７、６７は、互いに無線接続されている。
【０００７】
ソース装置１Ａのコントローラ１０Ａは、ＣＥＣコントローラ１４から入力されるＣＥＣメッセージを有線送受信回路５５に出力する。また、コントローラ１０Ａは、有線送受信回路５５及びアダプタ装置５７を介してシンク装置２Ａから受信したＣＥＣメッセージをＣＥＣコントローラ１４に出力する。有線送受信回路５５は、ＤＶＤプレーヤ１３から読み出された映像信号及び音声信号、又はコントローラ１０Ａから入力されたＣＥＣメッセージを、ケーブルＣ１を介してアダプタ装置５７に送信する。また、有線送受信回路５５は、シンク装置２Ａにより送信されたＣＥＣメッセージを、アダプタ装置５７からケーブルＣ１を介して受信する。
【０００８】
アダプタ装置５７の有線送受信回路５１は、ケーブルＣ１を介してソース装置１Ａから映像信号及び音声信号を受信し、無線送受信回路５４に出力する。また、有線送受信回路５１は、ケーブルＣ１を介してソース装置１ＡからＣＥＣメッセージを受信し、コントローラ５０に送信する。さらに、有線送受信回路５１は、シンク装置２Ａから送信されたＣＥＣメッセージを、ケーブルＣ１を介してソース装置１Ａに送信する。コントローラ５０は、有線送受信回路５１から出力されるＣＥＣメッセージを含む無線データパケットを生成して無線送受信回路５４に出力する。また、コントローラ５０は、出力したＣＥＣメッセージの送信データ情報をＲＡＭ５２の送信データ情報テーブル５２ａに格納する。さらに、コントローラ５０は、無線送受信回路５４及びアンテナ５６を介してシンク装置２Ａから受信した無線データパケットに含まれるＣＥＣメッセージに基づいて、アドレス情報登録処理及びデータ送受信処理を実行する。ＲＡＭ５２は、送信データ情報テーブル５２ａと、ノード情報テーブル５２ｂとを格納する。
【０００９】
シンク装置２Ａのコントローラ２０Ａ及び有線送受信回路６５は、それぞれソース装置１Ａのコントローラ１０Ａ及び有線送受信回路５５と同様に構成される。但し、有線送受信回路６５は、ケーブルＣ２を介して受信したＡＶ信号を音声信号及び映像信号処理回路３０に出力する。また、コントローラ２０Ａは、音声信号及び映像信号処理回路３０を制御する。
【００１０】
また、アダプタ装置６７のコントローラ６０、有線送受信回路６１、ＲＡＭ６２及び無線送受信回路６４は、それぞれアダプタ装置５７のコントローラ５０、有線送受信回路５１、ＲＡＭ５２及び無線送受信回路５４と同様に構成される。但し、ＲＡＭ６２は、送信データ情報テーブル６２ａと、ノード情報テーブル６２ｂとを格納する。また、無線送受信回路６４は、ＡＶ信号を有線送受信回路６１に出力する。
【００１１】
図１９を参照して、以上のように構成された無線通信システムの動作を説明する。
【００１２】
まず、図１９の上段に示されるように、アダプタ装置５７は、ケーブルＣ１を介して接続されている装置（この例ではソース装置１Ａ）のＣＥＣ論理アドレスを収集し、ノード情報テーブル５２ｂに保存する。そして、アダプタ装置５７は、例えば、ノード情報テーブル５２ｂが更新されたタイミングで、ノード情報テーブル５２ｂに保持されているＣＥＣ論理アドレスのリストを含むリスト交換メッセージを、アダプタ装置６７に無線送信する。
【００１３】
一方、アダプタ装置６７は、受信したリスト交換メッセージに含まれるＣＥＣ論理アドレスのリストを、ノード情報テーブル６２ｂに保存する。また、アダプタ装置６７についても、同様の動作を行う（図示省略）。これにより、アダプタ装置５７、６７は、自装置に接続された装置のＣＥＣ論理アドレス、及び相手装置に接続された装置のＣＥＣ論理アドレスを把握することができる。
【００１４】
次に、図１９の下段に示されるように、ソース装置１Ａは、シンク装置２Ａ宛てのＣＥＣメッセージをアダプタ装置５７に送信する。具体的には、ソース装置１ＡのＣＥＣコントローラ１４により生成されたＣＥＣメッセージは、バスＢ１を介してコントローラ１０Ａに出力され、有線送受信回路５５及びケーブルＣ１を介してアダプタ装置５７に送信される。
【００１５】
次に、アダプタ装置５７のコントローラ５０は、有線送受信回路５１を介してソース装置１Ａから受信したＣＥＣメッセージを含む無線データパケットを生成し、生成した無線データパケットを無線送受信回路５４及びアンテナ５６を介してアダプタ装置６７に無線送信する。
【００１６】
アダプタ装置５７の無線送受信回路６４は、アンテナ５６を介して無線データパケットを無線受信する。アダプタ装置６７のコントローラ６０は、無線データパケットに含まれるＣＥＣメッセージの宛先論理アドレスをノード情報テーブル６２ｂと照合する。そして、コントローラ６０は、シンク装置２ＡのＣＥＣ論理アドレスと一致する場合に、有線送受信回路６１及びケーブルＣ２を介してＣＥＣメッセージをシンク装置２Ａに送信すると共に、無線ＡＣＫパケットを、無線送受信回路６４及びアンテナ６６を介してアダプタ装置５７に送信する。
【００１７】
一方、ソース装置１Ａは、ＣＥＣメッセージの送信後、所定時間以内に無線ＡＣＫパケットを受信しない場合、ＣＥＣコントローラ１４によりＣＥＣメッセージの再送処理が行われる。この場合、アダプタ装置５７のコントローラ５０は、再送されたＣＥＣメッセージのデータブロックＮのＥＯＭビットをＣＥＣコントローラ１４から受信した時点で、既にアダプタ装置６７から無線ＡＣＫパケットを受信している。そこで、アダプタ装置５７は、ＣＥＣメッセージを含む無線データパケットを再度無線送信することなく、データブロックＮに対して「０」であるＡＣＫビットをＣＥＣコントローラ１４に送信する。従って、ＣＥＣコントローラ１４は、ＣＥＣメッセージが正常にアダプタ装置６７に受信されたことを認識することができる。
【００１８】
以上説明したように、前記特許文献１に記載された従来の無線通信システムによれば、ＣＥＣメッセージを生成するＣＥＣコントローラ１４と、コントローラ５０とがバスＢ１及びケーブルＣ１を介して互いに接続され、ＣＥＣコントローラ２４と、コントローラ６０とがバスＢ２及びケーブルＣ２を介して互いに接続されるので、ＣＥＣメッセージを送受信するための有線インタフェースしか備えていないソース装置１Ａ又はシンク装置２Ａにおいても、それぞれアダプタ装置５７及び６７を装着することで、ＣＥＣメッセージを無線送受信することが可能となる。
【先行技術文献】
【特許文献】
【００１９】
【特許文献１】特開２００８−２２５６０号公報（第２２頁、第１５図）
【非特許文献】
【００２０】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ，  Ｖｅｒｓｉｏｎ  １．１，  ＨＤＭ  Ｉ  Ｌｉｃｅｎｓｉｎｇ，  ＬＬＣ，  Ｃａｌｉｆｏｒｎｉａ  ｉｎ  Ｕ．Ｓ．Ａ．（Ｍａｙ  ２０，  ２００４）
【発明の概要】
【発明が解決しようとする課題】
【００２１】
上記構成の無線通信システムにおいては、ソース装置１Ａとアダプタ装置５７との間、及びシンク装置２Ａとアダプタ装置６７との間でリスト交換メッセージの送受信を行わないので、ソース装置１Ａ及びシンク装置２Ａは、それぞれ無線区間の先に接続されている装置の最新の情報を把握することができない。具体的には、ソース装置１Ａは、アダプタ装置６７のケーブルＣ２に新たにＣＥＣメッセージを送受信可能なＣＥＣ機器が接続されたとしても、ソース装置１Ａ自身がポーリングなどを行わなければ、当該新たなＣＥＣ機器の存在を検出することができないという問題があった。
【００２２】
また、前記従来の構成における他の問題として、ソース装置１Ａは、最初に出力したＣＥＣメッセージに対するＡＣＫ／ＮＡＣＫを、監視タイマのタイムアウト前に受信することが難しい。つまり、特許文献１においては、ＣＥＣコントローラ１４がＣＥＣメッセージを再送することを前提とし、且つアダプタ装置５７が再送されたＣＥＣメッセージより先に無線ＡＣＫパケットを受信することを期待した構成となっている。
【００２３】
このように、従来の構成では、最初のＣＥＣメッセージがＮＡＣＫとなり、ＣＥＣコントローラ１４がＣＥＣメッセージを再送するまで、ＣＥＣメッセージの正常送信終了とならない。また、規格上、ＣＥＣバスは低速であり、再送待ち時間も長いため、著しくスループットが低下するという問題があった。
【００２４】
本発明は、ＣＥＣ機器の構成変更を随時検出可能な無線通信装置を提供することを第１の目的とする。
【００２５】
また、本発明は、ＣＥＣ機器間で送受信されるＣＥＣメッセージのスループットを向上させた無線通信装置を提供することを第２の目的とする。
【課題を解決するための手段】
【００２６】
本発明の一形態に係る無線通信装置は、各々が１以上の機器に有線接続され、且つ互いに無線接続されている一対の無線通信装置のうちの一方の無線通信装置である。具体的には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと、前記一対の無線通信装置に有線接続された前記機器それぞれを識別するためのＣＥＣ論理アドレスを保持するアドレス管理テーブルと、前記有線インタフェース及び前記無線インタフェースの一方の先に接続されている前記機器が変更されたことを示すメッセージを受信したことに応じて、前記アドレス管理テーブルを更新するテーブル更新部と、前記テーブル更新部によって前記アドレス管理テーブルが更新されたことを、前記有線インタフェース及び前記無線インタフェースの他方の先に接続されている前記機器に通知する制御部とを備える。
【００２７】
上記構成のように、他方の無線通信装置に有線接続されている機器のＣＥＣ論理アドレスをアドレス管理テーブルで管理し、当該アドレス管理テーブルの更新を自装置に有線接続されている機器に通知することで、機器が常に最新の機器構成を把握することができる。なお、「有線インタフェースの先に接続されている機器」とは、自装置に有線接続されている機器を指す。また、「無線インタフェースの先に接続されている機器」とは、他の無線通信装置に有線接続されている機器を指す。
【００２８】
一形態として、前記テーブル更新部は、前記他方の無線通信装置に有線接続されている前記機器のＣＥＣ論理アドレスのリストを含むリスト交換メッセージを、前記無線インタフェースを経由して前記他方の無線通信装置から受信したことに応じて、当該リスト交換メッセージに含まれるＣＥＣ論理アドレスで前記アドレス管理テーブルを更新してもよい。前記制御部は、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを所定の時間出力することによって、前記アドレス管理テーブルが更新されたことを前記有線インタフェースの先に接続されている前記機器に通知してもよい。
【００２９】
さらに、前記制御部は、該無線通信装置の起動後、前記他方の無線通信装置から前記リスト交換メッセージを最初に受信するまでの間、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを出力し続けてもよい。これにより、無線通信装置に有線接続されている機器が、誤ったＣＥＣ論理アドレス情報を取得することを防ぐ効果を得ることができる。
【００３０】
他の形態として、前記テーブル更新部は、前記無線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加してもよい。前記制御部は、ＨＤＭＩ規格に規定されたレポート・フィジカル・アドレスメッセージを前記有線インタフェースの先に接続されている前記機器に送信することによって、前記アドレス管理テーブルに追加されたＣＥＣ論理アドレスを通知してもよい。なお、制御部は、自ら生成したレポート・フィジカル・アドレスメッセージを送信してもよいし、下記のように、他の機器が生成したレポート・フィジカル・アドレスメッセージを中継してもよい。
【００３１】
また、前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記有線インタフェースの先に接続されている前記機器に中継してもよい。これにより、線通信装置でＣＥＣ物理アドレスを取得し、管理する必要がなくなる。
【００３２】
さらに他の形態として、前記テーブル更新部は、前記有線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加してもよい。前記制御部は、ＨＤＭＩ規格に規定されたレポート・フィジカル・アドレスメッセージを前記無線インタフェースの先に接続されている前記機器に送信することによって、前記アドレス管理テーブルに追加されたＣＥＣ論理アドレスを通知してもよい。なお、制御部は、自ら生成したレポート・フィジカル・アドレスメッセージを送信してもよいし、下記のように、他の機器が生成したレポート・フィジカル・アドレスメッセージを中継してもよい。
【００３３】
また、前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記無線インタフェースの先に接続されている前記機器に中継してもよい。これにより、線通信装置でＣＥＣ物理アドレスを取得し、管理する必要がなくなる。
【００３４】
さらに、該無線通信装置は、不揮発性メモリを備えてもよい。前記テーブル更新部は、前記アドレス管理テーブルを更新する度に、更新後の前記アドレス管理テーブルに保持されている１以上の前記ＣＥＣアドレスを前記不揮発性メモリにコピーしてもよい。また、前記テーブル更新部は、該無線通信装置が起動された際に、前記不揮発性メモリに記憶されている前記１以上のＣＥＣ論理アドレスに、ルート機器を示すＣＥＣ論理アドレス又はブロードキャストアドレスの少なくとも一方を追加して、前記アドレス管理テーブルにコピーしてもよい。これにより、起動直後からＣＥＣメッセージを中継することが可能となる。
【００３５】
また、前記制御部は、前記有線インタフェースを介して任意のＣＥＣメッセージを受信した場合において、前記ＣＥＣメッセージの送信先を示す前記ＣＥＣ論理アドレスが前記アドレス管理テーブルに保持されていた場合に、前記ＣＥＣメッセージを前記無線インタフェース介して送信元の前記機器に送信すると共に、前記ＣＥＣメッセージを受信したことを示す受信応答信号を、前記有線インタフェースを介して前記ＣＥＣメッセージの送信元の前記機器に送信してもよい。これにより、従来のようにＣＥＣメッセージが再送されることがなくなり、機器間で送受信されるＣＥＣメッセージのスループットを著しく向上させることとなる。
【００３６】
本発明の一形態に係る無線通信方法は、各々が１以上の機器に有線接続され、且つ互いに無線接続されている一対の無線通信装置のうちの一方の無線通信装置が他方の無線通信装置と無線通信する方法である。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備える。そして、前記無線通信方法は、前記有線インタフェース及び前記無線インタフェースの一方の先に接続されている前記機器が変更されたことを示すメッセージを受信したことに応じて、前記アドレス管理テーブルを更新するテーブル更新ステップと、前記テーブル更新ステップで前記アドレス管理テーブルが更新されたことを、前記有線インタフェース及び前記無線インタフェースの他方の先に接続されている前記機器に通知する制御ステップとを含む。
【００３７】
本発明の一形態に係るプログラムは、各々が１以上の機器に有線接続され、且つ互いに無線接続されている一対の無線通信装置のうちの一方の無線通信装置に、他方の無線通信装置と無線通信させる。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備える。そして、前記プログラムは、前記有線インタフェース及び前記無線インタフェースの一方の先に接続されている前記機器が変更されたことを示すメッセージを受信したことに応じて、前記アドレス管理テーブルを更新するテーブル更新ステップと、前記テーブル更新ステップで前記アドレス管理テーブルが更新されたことを、前記有線インタフェース及び前記無線インタフェースの他方の先に接続されている前記機器に通知する制御ステップとを前記一方の無線通信装置に実行させる。
【００３８】
本発明の一形態に係る集積回路は、各々が１以上の機器に有線接続され、且つ互いに無線接続されている一対の無線通信装置のうちの一方の無線通信装置に含まれる。前記一方の無線通信装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースとを備える。前記集積回路は、前記一対の無線通信装置に有線接続された前記機器それぞれを識別するためのＣＥＣ論理アドレスを保持するアドレス管理テーブルと、前記有線インタフェース及び前記無線インタフェースの一方の先に接続されている前記機器が変更されたことを示すメッセージを受信したことに応じて、前記アドレス管理テーブルを更新するテーブル更新部と、前記テーブル更新部によって前記アドレス管理テーブルが更新されたことを、前記有線インタフェース及び前記無線インタフェースの他方の先に接続されている前記機器に通知する制御部とを備える。
【発明の効果】
【００３９】
本発明によれば、各ＣＥＣ機器が常に最新の機器構成を把握することができる。
【図面の簡単な説明】
【００４０】
【図１】図１は、本発明の一形態に係る無線通信装置のブロック図である。
【図２】図２は、実施の形態１に係る無線通信システムのブロック図である。
【図３】図３は、実施の形態１に係る無線通信システムの動作の一例を示すデータフローである。
【図４】図４は、実施の形態１に係る無線通信装置の動作を示すフローチャートである。
【図５】図５は、実施の形態１に係る無線通信システムの動作の他の例を示すデータフローである。
【図６】図６は、実施の形態２に係る無線通信システムのブロック図である。
【図７】図７は、実施の形態２に係る無線通信システムの動作を示すデータフローである。
【図８】図８は、実施の形態３に係る無線通信システムのブロック図である。
【図９】図９は、実施の形態３に係る無線通信システムの動作を示すデータフローである。
【図１０】図１０は、実施の形態４に係る無線通信システムのブロック図である。
【図１１】図１１は、実施の形態４に係る無線通信システムの動作を示すデータフローである。
【図１２】図１２は、実施の形態５に係る無線通信システムのブロック図である。
【図１３】図１３は、実施の形態５に係る無線通信システムの動作を示すデータフローである。
【図１４】図１４は、実施の形態６に係る無線通信システムのブロック図である。
【図１５】図１５は、実施の形態６に係る無線通信装置の動作の一例を示すフローチャートである。
【図１６】図１６は、実施の形態６に係る無線通信装置の動作の他の例を示すフローチャートである。
【図１７】図１７は、実施の形態６に係る無線通信装置の動作のさらに他の例を示すフローチャートである。
【図１８】図１８は、従来の無線通信システムの構成を示すブロック図である。
【図１９】図１９は、従来の無線通信システムの動作を示すデータフローである。
【発明を実施するための形態】
【００４１】
図１は、本発明の一形態に係る無線通信装置１０００のブロック図である。無線通信装置１０００は、図１に示されるように、有線インタフェース１１００と、無線インタフェース１２００と、アドレス管理テーブル１３００と、テーブル更新部１４００と、制御部１５００とを備える。
【００４２】
有線インタフェース１１００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定されたインタフェースである。この有線インタフェース１１００には、１以上の機器が直接的又は間接的に接続される。なお、「直接的に接続」とは、文字通り、有線インタフェース１１００と他の機器とがケーブルを介して接続されることを指す。一方、「間接的に接続」とは、有線インタフェース１１００に直接的に接続された機器に、さらに他の機器が接続されている状態を指す。
【００４３】
無線インタフェース１２００は、他の無線通信装置に無線接続されるインタフェースである。具体的な接続方式は特に限定されないが、例えば、ワイヤレスＨＤ（Ｈｉｇｈ  Ｄｅｆｉｎｉｔｉｏｎ）を用いて接続されていてもよい。
【００４４】
アドレス管理テーブル１３００は、該無線通信装置１０００に有線接続されている機器、及び無線インタフェース１２００を介して無線接続された他の無線通信装置に有線接続されている機器のＣＥＣ論理アドレスを保持している。ＣＥＣ論理アドレスは、ＨＤＭＩ規格に準拠した方式で接続されている各機器を識別するための４ビット（０〜１５）の値である。なお、アドレス管理テーブル１３００は、例えば、ＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  Ｒａｎｄｏｍ  Ａｃｃｅｓｓ  Ｍｅｍｏｒｙ）等の揮発性メモリに記憶されている。
【００４５】
テーブル更新部１４００は、有線インタフェース１１００及び無線インタフェース１２００から受信した各種メッセージに基づいて、アドレス管理テーブル１３００の内容を更新する。制御部１５００は、テーブル更新部１４００によってアドレス管理テーブル１３００が更新されたことを、有線インタフェース１１００及び無線インタフェース１２００の先に接続されている機器に通知する。テーブル更新部１４００及び制御部１５００の具体的な処理内容は後述する。
【００４６】
（実施の形態１）
図２は、本発明の実施の形態１における無線通信装置を用いた無線通信システムの構成の一例を示すブロック図である。図２において、受信側無線通信装置１０６は、ＨＤＭＩケーブル１０７でＴＶ１０８と接続され、ＨＤＭＩ規格に規定される「ＨＤＭＩ  Ｓｉｎｋ」を構成している。一方、送信側無線通信装置１０３は、ＨＤＭＩケーブル１０２でソース機器１０１と接続され、ＨＤＭＩ規格に規定される「ＨＤＭＩ  Ｓｏｕｒｃｅ」を構成している。
【００４７】
ＨＤＭＩケーブル１０７は、ＨＤＭＩ規格に規定された信号線を備える。例えば、ＨＤＭＩケーブル１０７は、ＨＰＤ（Ｈｏｔ  Ｐｌｕｇ  Ｄｅｔｅｃｔ）信号線１１７と、“＋５Ｖ  Ｐｏｗｅｒ”信号線１１８と、ＣＥＣ信号線１１９とを備える。ＨＤＭＩケーブル１０２も同様である。
【００４８】
なお、送信側無線通信装置１０３および受信側無線通信装置１０６が、それぞれ、「ＨＤＭＩ  Ｓｏｕｒｃｅ」および「ＨＤＭＩ  Ｓｉｎｋ」を構成している点は、以降の実施の形態についても同様である。また、図２では、送信側無線通信装置１０３にソース機器１０１が１台だけ有線接続されているが、これに限ることなく、複数のＣＥＣが有線接続されていていてもよい。この場合、ソース機器１０１に他のＣＥＣ機器が接続（送信側無線通信装置１０３に間接的に接続）される構成であってもよいし、送信側無線通信装置１０３が複数の有線インタフェースを備え、複数のＣＥＣ機器と直接的に接続される構成であってもよい。受信側無線通信装置１０６についても同様である。
【００４９】
なお、ソース機器１０１としては、ＤＶＤプレーヤ、セットトップボックス（ＳＴＢ：例えばチューナ）などの映像音声再生装置が考えられる。また、シンク機器としては、本発明ではＴＶ１０８を一例として説明するが、スピーカやディスプレイなどの映像音声出力（表示）装置が考えられる。
【００５０】
送信側無線通信装置１０３及び受信側無線通信装置１０６は、図１に示される無線通信装置１０００の一形態であり、内部構成および動作は同じであるので、本実施の形態１では、受信側無線通信装置１０６の構成と動作を中心に説明する。
【００５１】
図２に示される受信側無線通信装置１０６は、アンテナ１０５と、無線伝送部１０９と、ＣＥＣ受信論理アドレス更新部１１０と、ＣＥＣ受信論理アドレステーブル１１１と、ＣＥＣ受信論理アドレス更新検出部１１２と、ＣＥＣ制御部１１４と、ＣＥＣ論理アドレス収集部１１５と、ＣＥＣ論理アドレステーブル１１６と、有線インタフェース（図示省略）とを備える。
【００５２】
なお、アンテナ１０５及び無線伝送部１０９は、例えば、図１に示される無線インタフェース１２００に相当する。また、ＣＥＣ制御部１１４は、例えば、図１に示される制御部１５００に相当する。また、ＣＥＣ受信論理アドレス更新部１１０、ＣＥＣ受信論理アドレス更新検出部１１２、及びＣＥＣ論理アドレス収集部１１５は、例えば、図１に示されるテーブル更新部１４００に相当する。さらに、ＣＥＣ受信論理アドレステーブル１１１及びＣＥＣ論理アドレステーブル１１６は、例えば、図１に示されるアドレス管理テーブル１３００に相当する。
【００５３】
図示しない有線インタフェース（図１の有線インタフェース１１００に相当）は、ＨＤＭＩケーブル１０７を介してＴＶ１０８と接続されている。無線伝送部１０９は、高周波回路、ベースバンド処理回路、媒体アクセス制御回路などを含むが、どのような無線伝送方式を用いてもよく、本実施形態では説明を省略する。例えば、２．４ＧＨｚ帯や５ＧＨｚ帯の電波を用いたＩＥＥＥ８０２．１１で規定された無線伝送方式を利用することやミリ波帯の電波を用いた無線伝送方式を利用することが考えられる。
【００５４】
ここで、本発明においては、ＨＤＭＩケーブル１０７に接続され、ＣＥＣフレームの送受信を行える機器を「ＣＥＣ機器」と呼ぶ。本発明においては、ソース機器１０１が送信側無線通信装置１０３に接続されたＣＥＣ機器、ＴＶ１０８が受信側無線通信装置１０６に接続されたＣＥＣ機器となる。
【００５５】
ＣＥＣ制御部１１４は、ＨＤＭＩケーブル１０７に含まれるＣＥＣ信号線１１９を通じて、ＴＶ１０８との間でＣＥＣフレームを送受信すると共に、無線伝送部１０９との間でＣＥＣフレームを送受信する。また、ＣＥＣ制御部１１４は、“＋５Ｖ  Ｐｏｗｅｒ”信号線１１８に所定の時間幅のＬＯＷレベルパルスを出力したり、ＨＰＤ信号線１１７を通じて、ＴＶ１０８からＨＰＤ信号情報を取得したりする。
【００５６】
ＣＥＣ受信論理アドレス更新部１１０は、アンテナ１０５及び無線伝送部１０９を介して、ソース機器１０１又は送信側無線通信装置１０３から通知されたＣＥＣ論理アドレスをＣＥＣ受信論理アドレステーブル１１１に登録する。
【００５７】
ＣＥＣ受信論理アドレス更新検出部１１２は、ＣＥＣ受信論理アドレステーブル１１１の登録内容を定期的にチェックし、内容が更新されたことを検出すると、ＣＥＣ制御部１１４に通知する。ＣＥＣ制御部１１４は、“＋５Ｖ  Ｐｏｗｅｒ”信号線１１８に所定の時間幅のＬＯＷレベルパルスを出力し、無線伝送システム内の機器構成が変更されたことをＴＶ１０８通知する。なお、本実施の形態１におけるＣＥＣ受信論理アドレス更新検出部１１２の機能を、ＣＥＣ受信論理アドレス更新部１１０に持たせてもよい。その際は、ＣＥＣ受信論理アドレス更新部１１０は、ＣＥＣ受信論理アドレステーブル１１１の内容を更新すると共に、更新したことをＣＥＣ制御部１１４に通知する。
【００５８】
ＣＥＣ制御部１１４は、ＴＶ１０８からＣＥＣ信号線１１９を介してＣＥＣフレームを受信すると、当該ＣＥＣフレームに含まれる宛先アドレスをＣＥＣ受信論理アドレステーブル１１１に登録されているかどうかを判定する。そして、ＣＥＣ制御部１１４は、宛先アドレスがＣＥＣ受信論理アドレステーブル１１１に登録されている場合、当該ＣＥＣフレームを受信し、無線伝送部１０９に出力する。さらに、ＣＥＣ制御部１１４は、ＣＥＣ信号線１１９に当該ＣＥＣフレームに対する受信応答信号（ＡＣＫ）を出力する。
【００５９】
一方、ＣＥＣ制御部１１４は、ＣＥＣフレームに含まれる宛先アドレスがＣＥＣ受信論理アドレステーブル１１１に登録されていない場合、当該ＣＥＣフレームを受信することなく破棄し、ＣＥＣ信号線１１９に当該ＣＥＣフレームに対する受信応答信号（ＮＡＣＫ）を出力する。
【００６０】
ＣＥＣ論理アドレス収集部１１５は、ＣＥＣ制御部１１４を介して、定期的な周期でＣＥＣ信号線１１９に接続されているＣＥＣ機器のＣＥＣ論理アドレスを収集する。そして、ＣＥＣ論理アドレス収集部１１５は、収集したＣＥＣ論理アドレスをＣＥＣ論理アドレステーブル１１６に登録する。また、ＣＥＣ論理アドレス収集部１１５は、ＣＥＣ論理アドレステーブル１１６の登録内容が更新された判定した場合には、無線伝送部１０９及びアンテナ１０５を介して、送信側無線通信装置１０３及びソース機器１０１に変更を通知する。
【００６１】
なお、送信側無線通信装置１０３は、受信側無線通信装置１０６と同様に構成されている（図示せず）が、送信側無線通信装置１０３におけるＣＥＣ制御部１１４は、“＋５Ｖ  Ｐｏｗｅｒ”信号線１１８の代わりにＨＰＤ信号線１１７に所定の時間幅のＬＯＷレベルパルスを出力する点が異なる。
【００６２】
以下、受信側無線通信装置１０６を中心に本発明における動作を説明する。
【００６３】
ＣＥＣ論理アドレステーブル１１６には、受信側無線通信装置１０６のＨＤＭＩケーブル１０７に含まれるＣＥＣ信号線１１９に接続されているＣＥＣ機器のＣＥＣ論理アドレスの集合（リスト）が登録されている。ＣＥＣ論理アドレスを登録する方法としては、本実施の形態１では、以下のように実現しているが、必ずしもこの通りである必要はない。例えば、受信側無線通信装置１０６のＣＥＣ論理アドレス収集部１１５は、定期的な周期でＣＥＣ制御部１１４を介してＣＥＣ信号線１１９に対してポーリングを行う。あるいは、ＣＥＣ信号線１１９から受信したＣＥＣフレームに含まれる送信元ＣＥＣ論理アドレスを抽出する。
【００６４】
そして、ＣＥＣ論理アドレス収集部１１５は、収集したＣＥＣ論理アドレスをＣＥＣ論理アドレステーブル１１６に保存する。さらに、ＣＥＣ論理アドレス収集部１１５は、ＣＥＣ論理アドレステーブル１１６の更新前後の内容を比較し、ＣＥＣ論理アドレスの集合が更新されたことを検出した場合に、無線伝送部１０９及びアンテナ１０５を介して、ＣＥＣ論理アドレスの集合を含む無線データパケット（リスト交換メッセージ）を送信側無線通信装置１０３に送信する。
【００６５】
同様に、送信側無線通信装置１０３は、図３に示されるように、自装置のＣＥＣ論理アドレステーブルが更新された場合に、ＣＥＣ論理アドレスの集合を含む無線データパケット（リスト交換メッセージ）を、受信側無線通信装置１０６に無線送信する。
【００６６】
受信側無線通信装置１０６は、アンテナ１０５及び無線伝送部１０９を介して、ＣＥＣ論理アドレスの集合を含む無線データパケットを受信し（図４のステップＳ１００１）、ＣＥＣ受信論理アドレス更新部１１０に通知する。次に、ＣＥＣ受信論理アドレス更新部１１０は、受信したＣＥＣ論理アドレスによってＣＥＣ受信論理アドレステーブル１１１を更新する（ステップＳ１００３）。このとき、受信した無線データパケットに含まれるＣＥＣ論理アドレスの集合にブロードキャストアドレス「１５」が含まれていなければ、これを追加（ステップＳ１００２）してから、ＣＥＣ受信論理アドレステーブル１１１に保存するのが望ましい。
【００６７】
次に、ＣＥＣ受信論理アドレス更新検出部１１２は、ＣＥＣ受信論理アドレステーブル１１１の更新を検出し、ＣＥＣ制御部１１４に通知する。通知を受けたＣＥＣ制御部１１４は、図３に示されるように、“＋５Ｖ  Ｐｏｗｅｒ”信号線１１８に所定の時間幅のＬＯＷレベルパルスを出力することにより、ＴＶ１０８に新規なＣＥＣ論理アドレスが登録されたことを通知する。
【００６８】
ＴＶ１０８は、“＋５Ｖ  Ｐｏｗｅｒ”信号線１１８に所定の時間幅のＬＯＷレベルパルスが出力されたことを検出すると、ＨＤＭＩケーブル１０７の先に接続されている機器に対してポーリングを行い、ＣＥＣ論理アドレスを収集する。
【００６９】
次に、図５に示されるように、ＴＶ１０８がソース機器１０１宛のＣＥＣメッセージを含むＣＥＣフレームをＣＥＣ信号線１１９に送信すると、ＣＥＣ制御部１１４は、ＣＥＣ信号線１１９を介して受信したＣＥＣフレームに含まれるＣＥＣ宛先論理アドレス、すなわち、ソース機器１０１のＣＥＣ論理アドレスがＣＥＣ受信論理アドレステーブル１１１に登録されているかどうかを判定する。
【００７０】
この場合、ソース機器１０１のＣＥＣ論理アドレスはＣＥＣ受信論理アドレステーブル１１１に登録されているため、ＣＥＣ制御部１１４は、図５の上段に示されるように、当該ＣＥＣフレームを受信するとともに、ＣＥＣ信号線１１９に当該ＣＥＣフレームに対する受信応答信号（ＡＣＫ）を出力する。そして、ＣＥＣ制御部１１４は、ＴＶ１０８から受信したＣＥＣメッセージを含む無線データパケットを生成し、無線伝送部１０９及びアンテナ１０５を介して当該無線データパケットを送信側無線通信装置１０３へ伝送する。
【００７１】
送信側無線通信装置１０３は、アンテナ１０４を介して受信した無線データパケットからＣＥＣメッセージを取り出してＣＥＣフレームを生成し、当該ＣＥＣフレームをＨＤＭＩケーブル１０２を介してソース機器１０１へ伝送する。
【００７２】
一方、ＴＶ１０８が送信したＣＥＣフレームのＣＥＣ宛先論理アドレスがＣＥＣ受信論理アドレステーブル１１１に登録されていない場合、ＣＥＣ制御部１１４は、図５の下段に示されるように、当該ＣＥＣフレームを破棄すると共に、ＣＥＣ信号線１１９に当該ＣＥＣフレームに対する否定応答信号（ＮＡＣＫ）を出力する。
【００７３】
同様に、ソース機器１０１が送信したＴＶ１０８宛のＣＥＣメッセージは、送信側無線通信装置１０３、アンテナ１０４、及びアンテナ１０５を介してＣＥＣ受信論理アドレス更新部１１０及びＣＥＣ制御部１１４に入力される。ＣＥＣ制御部１１４は、受信したＣＥＣメッセージからＣＥＣフレームを生成し、当該ＣＥＣフレームをＨＤＭＩケーブル１０７を介してＴＶ１０８に出力する。
【００７４】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００７５】
ＣＥＣ受信論理アドレス更新検出部１１２は、ＣＥＣ受信論理アドレス更新部１１０によってＣＥＣ受信論理アドレステーブル１１１が更新されたことを検出し、ＣＥＣ制御部１１４に通知する。ＣＥＣ制御部１１４は、ＣＥＣ受信論理アドレス更新検出部１１２からの通知を受けた場合、ＣＥＣ信号線１１９を介してＣＥＣ論理アドレスを持つＣＥＣ機器（本実施の形態１の場合、ＴＶ１０８）に対して、ＣＥＣ受信論理アドレステーブル１１１の更新を通知する。
具体的には、ＣＥＣ制御部１１４は、“＋５Ｖ  Ｐｏｗｅｒ”信号線１１８に所定の時間幅のＬＯＷレベルパルスを出力し、ＴＶ１０８に新規アドレスが登録されたことを通知する。
【００７６】
本実施の形態１によれば、送信側無線通信装置１０３に有線接続されているＣＥＣ機器のＣＥＣ論理アドレスをＣＥＣ受信論理アドレステーブル１１１で管理し、ＣＥＣ受信論理アドレステーブル１１１の更新をＴＶ１０８に通知することで、ＴＶ１０８が常に最新の機器構成を把握することができる。
【００７７】
また、受信したＣＥＣメッセージのＣＥＣ宛先アドレスがＣＥＣ受信論理アドレステーブル１１１に含まれる場合に、適切なタイミングでＡＣＫを出力することができる。その結果、従来のようにＣＥＣメッセージが再送されることがなくなり、ソース機器１０１とＴＶ１０８との間で送受信されるＣＥＣメッセージのスループットを著しく向上させることとなる。
【００７８】
なお、本実施の形態１において、ＣＥＣ受信論理アドレス更新部１１０は、他の無線通信装置からＣＥＣ論理アドレスの集合を通知される構成としたが、ＣＥＣメッセージを含む無線データパケットを受信した場合に、ＣＥＣメッセージに含まれる送信元ＣＥＣ論理アドレスを抽出し、ＣＥＣ受信論理アドレステーブルを更新する構成とすることも可能である。
【００７９】
また、受信側無線通信装置１０６は、起動した後、最初のＣＥＣ論理アドレスの集合を含む無線データパケットを受信し、ＣＥＣ受信論理アドレステーブル１１１を更新するまでの期間、“＋５Ｖ  Ｐｏｗｅｒ”信号線１１８（送信側無線通信装置１０３の場合はＨＰＤ信号線）をＬｏｗレベルに維持してもよい。これにより、受信側無線通信装置１０６に接続されているＣＥＣ機器が、誤ったＣＥＣ論理アドレス情報を取得することを防ぐ効果を得ることも可能である。
【００８０】
（実施の形態２）
本実施の形態２に係る受信側無線通信装置２０６は、送信側無線通信装置２０３に有線接続されているＣＥＣ機器に変更があったことを検出した場合に、システム構成が変更されたことを、受信側無線通信装置２０６自身が他のＣＥＣ機器に通知する。
【００８１】
図６は、本発明の実施の形態２における無線通信装置を用いた無線通信システムの構成図である。図６において、実施の形態１と同じ動作を行う構成要素については同じ符号を用い、説明を省略する。また、送信側無線通信装置２０３および受信側無線通信装置２０６は、図１に示される無線通信装置１０００の他の形態であり、各構成要素の対応関係は実施の形態１と共通である。
【００８２】
図６において、ＣＥＣ受信論理アドレス更新検出部２１２は、ＣＥＣ受信論理アドレステーブル１１１に新規アドレスが登録されたことを検出すると、ＣＥＣ制御部２１４に通知する。ＣＥＣ制御部２１４は、ＣＥＣ受信論理アドレス更新検出部２１２から新規アドレスが登録されたことが通知されると、ＨＤＭＩ規格に規定されたＣＥＣメッセージのひとつであるレポート・フィジカル・アドレス（Ｒｅｐｏｒｔ  Ｐｈｙｓｉｃａｌ  Ａｄｄｒｅｓｓ）メッセージを含むＣＥＣフレームを生成してＣＥＣ信号線１１９に出力し、ＴＶ１０８に無線通信システム構成が変更されたことを通知する。
【００８３】
今、送信側無線通信装置２０３に有線接続されているソース機器１０１に新しいＣＥＣ機器が接続された場合について考える。
【００８４】
図７に示されるように、ソース機器１０１に新たに接続されたＣＥＣ機器（図示省略）が送信したＴＶ１０８宛のＣＥＣメッセージは、送信側無線通信装置２０３、アンテナ１０４、及びアンテナ１０５を介してＣＥＣ受信論理アドレス更新部１１０及びＣＥＣ制御部２１４に入力される。ＣＥＣ制御部２１４は、受信したＣＥＣメッセージからＣＥＣフレームを生成し、当該ＣＥＣフレームをＨＤＭＩケーブル１０７を介してＴＶ１０８に出力する。
【００８５】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００８６】
ＣＥＣ受信論理アドレス更新検出部２１２は、ＣＥＣ受信論理アドレステーブル１１１に新しいＣＥＣ論理アドレスが登録されたことを検出し、ＣＥＣ制御部２１４に通知する。ＣＥＣ制御部２１４は、ＣＥＣ受信論理アドレス更新検出部２１２からの通知をうけ、レポート・フィジカル・アドレスメッセージを含むＣＥＣフレームを生成し、当該ＣＥＣフレームをＣＥＣ信号線１１９に出力する。なお、ここで生成されるレポート・フィジカル・アドレスメッセージには、ソース機器１０１に新たに接続されたＣＥＣ機器のＣＥＣ物理アドレスとＣＥＣ論理アドレスとが含まれる。
【００８７】
このＣＥＣフレームを受信したＴＶ１０８は、ソース機器１０１側のシステムに新しくＣＥＣ機器が接続されたことを認識する。
【００８８】
なお、本実施の形態２におけるＣＥＣ受信論理アドレス更新検出部２１２の機能を、ＣＥＣ受信論理アドレス更新部１１０に持たせてもよい。その際は、ＣＥＣ受信論理アドレス更新部１１０は、ＣＥＣ受信論理アドレステーブル１１１の内容を更新すると共に、更新したことをＣＥＣ制御部２１４に通知する。
【００８９】
本実施の形態２によれば、送信側無線通信装置２０３に有線接続されるＣＥＣ機器に変更があったことを、“＋５Ｖ  ｐｏｗｅｒ”信号線１１８やＨＰＤ信号線１１７にＬｏｗレベルパルスを出力することなく、通知することが可能となる。“＋５Ｖ  Ｐｏｗｅｒ”信号線１１８やＨＰＤ信号線１１７にＬｏｗレベルパルスを出力すると、映像信号や音声信号が途切れ、再同期が必要となる。しかしながら、本実施の形態２では、映像信号や音声信号を途切れさせることなくＣＥＣ機器のシステム構成の変更を通知することが可能となる。
【００９０】
（実施の形態３）
本実施の形態３に係る受信側無線通信装置３０６は、送信側無線通信装置３０３に有線接続されているＣＥＣ機器に変更があったことを検出した場合に、システム構成が変更されたことを、当該変更されたＣＥＣ機器から他のＣＥＣ機器に通知させる。
【００９１】
図８は、本発明の実施の形態３における無線通信装置を用いた無線通信システムの構成図である。
【００９２】
図８において、実施の形態１、２と同じ動作を行う構成要素については同じ符号を用い、説明を省略する。また、送信側無線通信装置３０３および受信側無線通信装置３０６は、図１に示される無線通信装置１０００の他の形態であり、各構成要素の対応関係は実施の形態１と共通である。
【００９３】
ＣＥＣ受信論理アドレス更新検出部２１２は、ＣＥＣ受信論理アドレステーブル１１１に新規アドレスが登録されたことを検出すると、ＣＥＣ制御部３１４に通知する。ＣＥＣ制御部３１４は、ＣＥＣ受信論理アドレス更新検出部２１２から新規アドレスが登録されたことが通知されると、ＨＤＭＩ規格に規定されたＣＥＣメッセージのひとつであるギブ・フィジカル・アドレス（Ｇｉｖｅ  Ｐｈｙｓｉｃａｌ  Ａｄｄｒｅｓｓ）メッセージを生成して、無線伝送部１０９、アンテナ１０５、及び送信側無線通信装置３０３を介して、当該新たに接続されたＣＥＣ機器に送信する。
【００９４】
以下、本実施の形態３の詳細な動作について説明する。
【００９５】
今、送信側無線通信装置３０３に有線接続されているソース機器１０１に新しいＣＥＣ機器が接続された場合について考える。
【００９６】
図９に示されるように、ソース機器１０１に新たに接続されたＣＥＣ機器（図示省略）が送信したＴＶ１０８宛のＣＥＣメッセージは、送信側無線通信装置２０３、アンテナ１０４、及びアンテナ１０５を介してＣＥＣ受信論理アドレス更新部１１０及びＣＥＣ制御部２１４に入力される。ＣＥＣ制御部２１４は、受信したＣＥＣメッセージからＣＥＣフレームを生成し、当該ＣＥＣフレームをＨＤＭＩケーブル１０７を介してＴＶ１０８に出力する。
【００９７】
また、ＣＥＣ受信論理アドレス更新部１１０は、入力されたＣＥＣメッセージの送信元のＣＥＣ論理アドレスがＣＥＣ受信論理アドレステーブル１１１に登録されているかを判定する。そして、ＣＥＣ受信論理アドレス更新部１１０は、送信元のＣＥＣ論理アドレスがＣＥＣ受信論理アドレステーブル１１１に含まれていない場合、当該ＣＥＣ論理アドレスを新規アドレスとしてＣＥＣ受信論理アドレステーブル１１１に登録する。
【００９８】
ＣＥＣ受信論理アドレス更新検出部２１２は、ＣＥＣ受信論理アドレステーブル１１１に新規アドレスが登録されたことを検出すると、ＣＥＣ制御部３１４に通知する。ＣＥＣ制御部３１４は、ＣＥＣ受信論理アドレス更新検出部２１２から新規アドレスが登録されたことが通知されると、ギブ・フィジカル・アドレスメッセージを含む無線データパケットを生成し、当該無線データパケットを無線伝送部１０９及びアンテナ１０５を介して、送信側無線通信装置３０３に無線送信する。
【００９９】
送信側無線通信装置３０３は、アンテナ１０４を介して受信側無線通信装置３０６から無線データパケットを受信し、ギブ・フィジカル・アドレスメッセージを含むＣＥＣフレームを生成し、当該ＣＥＣフレームをＨＤＭＩケーブル１０２のＣＥＣ信号線を介して、ソース機器１０１に新たに接続されたＣＥＣ機器に出力する。
【０１００】
ソース機器１０１に新たに接続されたＣＥＣ機器は、ギブ・フィジカル・アドレスメッセージを受信すると、ＨＤＭＩの規定に基づき、レポート・フィジカル・アドレスメッセージを含むＣＥＣフレームを生成し、当該ＣＥＣフレームをソース機器１０１を介して送信側無線通信装置３０３に出力する。なお、ここで生成されるレポート・フィジカル・アドレスメッセージには、ソース機器１０１に新たに接続されたＣＥＣ機器のＣＥＣ物理アドレスとＣＥＣ論理アドレスとが含まれる。
【０１０１】
送信側無線通信装置３０３は、レポート・フィジカル・メッセージを含む無線データパケットを生成し、当該無線データパケットをアンテナ１０４を介して受信側無線通信装置３０６に無線送信する。
【０１０２】
受信側無線通信装置３０６は、レポート・フィジカル・アドレスメッセージを含む無線データパケットを受信すると、レポート・フィジカル・メッセージを含むＣＥＣフレームを生成し、当該ＣＥＣフレームをＣＥＣ制御部３１４及びＣＥＣ信号線１１９を介して、ＴＶ１０８に出力する。ＴＶ１０８は、受信したＣＥＣフレームより、ソース機器１０１側のシステムに新しく接続されたＣＥＣ機器のＣＥＣ論理アドレスを取得する。
【０１０３】
実施の形態２では、レポート・フィジカル・アドレスメッセージに必要なＣＥＣ物理アドレスを、受信側無線通信装置２０６で取得・管理する手段が別途必要となるが、本実施の形態３によれば、レポート・フィジカル・アドレスメッセージはギブ・フィジカル・メッセージを受信したＣＥＣ機器自身が生成するので、受信側無線通信装置３０６は、ＣＥＣ物理アドレスを取得・管理する必要がない。
【０１０４】
（実施の形態４）
本実施の形態４に係る受信側無線通信装置４０６は、受信側無線通信装置４０６に有線接続されているＣＥＣ機器の構成に変更があった場合に、システム構成が変更されたことを、当該変更されたＣＥＣ機器から他のＣＥＣ機器に通知させる。
【０１０５】
図１０は、本発明の実施の形態４における無線通信装置を用いた無線通信システムの構成の一例である。図１０において、実施の形態１〜３と同じ構成要素については同じ符号を用い、説明を省略する。また、送信側無線通信装置４０３および受信側無線通信装置４０６は、図１に示される無線通信装置１０００の他の形態であり、各構成要素の対応関係は実施の形態１と共通である。
【０１０６】
図１０において、ＣＥＣ制御部４１４は、ギブ・フィジカル・アドレスメッセージを含むＣＥＣフレームを生成して、ＣＥＣ信号線１１９に出力する。ＴＶ４０８は、ＣＥＣ制御部４１４からのＣＥＣフレームを受信し、他のＨＤＭＩ信号線を介して接続されているＣＥＣ機器のシステム構成が変更されたか否かを検知する。そして、ＴＶ４０８は、システム構成が変更されていた場合に、無線通信システム内の他のＣＥＣ機器側にシステム構成が変更されたことを通知する。
【０１０７】
以下、本実施の形態４の動作を詳細に説明する。
【０１０８】
今、受信側無線通信装置４０６に有線接続されているＴＶ４０８に新しいＣＥＣ機器が接続された場合について考える。
【０１０９】
図１１に示されるように、ＣＥＣ論理アドレス収集部１１５は、ＨＤＭＩケーブル１０７に直接的又は間接的に接続されているＣＥＣ機器のシステム構成の変更を監視する。具体的な方法は限定されないが、例えば、定期的にポーリングを行ってＣＥＣ機器の追加・削除を検出しても良いし、ＣＥＣ信号線１１９を介して受信したＣＥＣフレームの送信元アドレスを監視してもよい。
【０１１０】
そして、ＣＥＣ論理アドレス収集部１１５は、ＴＶ４０８に新しいＣＥＣ機器（図示省略）が接続されたこと、すなわち、ＣＥＣ論理アドレステーブル１１６の内容が更新されたことを検知すると、ＣＥＣ制御部４１４に通知する。ＣＥＣ制御部４１４は、ＣＥＣ論理アドレス収集部１１５からの通知を受け、ギブ・フィジカル・アドレスメッセージを含むＣＥＣフレームを生成し、当該ＣＥＣフレームをＣＥＣ信号線１１９を介してＴＶ４０８に新たに接続されたＣＥＣ機器に出力する。
【０１１１】
ＴＶ４０８に新たに接続されたＣＥＣ機器は、ギブ・フィジカル・アドレスメッセージを受信すると、ＨＤＭＩの規定に基づき、レポート・フィジカル・アドレスメッセージを含むＣＥＣフレームを生成し、当該ＣＥＣフレームをＴＶ４０８を介して受信側無線通信装置４０６に出力する。なお、ここで生成されるレポート・フィジカル・アドレスメッセージには、ＴＶ４０８に新たに接続されたＣＥＣ機器のＣＥＣ物理アドレスとＣＥＣ論理アドレスとが含まれる。
【０１１２】
ＣＥＣ制御部４１４は、ＣＥＣ信号線１１９を介して新たに接続されたＣＥＣ機器から受信したレポート・フィジカル・メッセージを含むＣＥＣフレームを無線伝送部１０９に出力する。無線伝送部１０９は、ＣＥＣ制御部４１４より受信したＣＥＣメッセージを含む無線データパケットを生成し、当該無線データパケットをアンテナ１０５を介して送信側無線通信装置４０３に無線送信する。
【０１１３】
送信側無線通信装置４０３は、レポート・フィジカル・アドレスメッセージを含む無線データパケットを受信し、当該レポート・フィジカル・アドレスメッセージを含むＣＥＣフレームを生成し、当該ＣＥＣフレームをＨＤＭＩケーブル１０２に出力することによって、ＴＶ４０８に新たにＣＥＣ機器が接続されたことを、ソース機器１０１へ通知する。
【０１１４】
本実施の形態４によれば、受信側無線通信装置４０６に有線接続されるＣＥＣ機器の構成に変更があった場合に、当該変更されたＣＥＣ機器から無線通信システム内の他のＣＥＣ機器に、システム構成が変更されたことを通知させることができる。
【０１１５】
（実施の形態５）
本実施の形態５に係る受信側無線通信装置５０６は、受信側無線通信装置５０６に有線接続されているＣＥＣ機器の構成に変更があった場合に、システム構成が変更されたことを、受信側無線通信装置５０６自身で他のＣＥＣ機器に通知する。
【０１１６】
図１２は、本発明の実施の形態５における無線通信装置を用いた無線通信システムの構成図である。図１２において、実施の形態１〜４と同じ構成要素については同じ符号を用い、説明を省略する。また、送信側無線通信装置５０３および受信側無線通信装置５０６は、図１に示される無線通信装置１０００の他の形態であり、各構成要素の対応関係は実施の形態１と共通である。
【０１１７】
図１２において、ＣＥＣ制御部５１４は、ＣＥＣ論理アドレス収集部１１５より登録内容の変更通知を受けると、ＨＤＭＩ規格に規定されたＣＥＣメッセージのひとつであるレポート・フィジカル・アドレスメッセージを生成して、無線伝送部１０９及びアンテナ１０５を介して送信側無線通信装置５０３に出力する。
【０１１８】
以下、本実施の形態５の動作を詳細に説明する。
【０１１９】
今、受信側無線通信装置５０６に有線接続されているＴＶ４０８に新しいＣＥＣ機器が接続された場合について考える。
【０１２０】
図１３に示されるように、受信側無線通信装置５０６のＣＥＣ論理アドレス収集部１１５は、ＣＥＣ論理アドレステーブル１１６の内容が更新したことを検知し、ＣＥＣ制御部５１４に通知する。ＣＥＣ制御部５１４は、ＣＥＣ論理アドレス収集部１１５の通知を受け、レポート・フィジカル・アドレスメッセージを生成し、無線伝送部１０９に出力する。無線伝送部１０９は、ＣＥＣ制御部５１４から入力されたレポート・フィジカル・アドレスメッセージを含む無線データパケットを生成し、当該無線データパケットをアンテナ１０５を介して無線送信する。なお、ここで生成されるレポート・フィジカル・アドレスメッセージには、ＴＶ４０８に新たに接続されたＣＥＣ機器のＣＥＣ物理アドレスとＣＥＣ論理アドレスとが含まれる。
【０１２１】
送信側無線通信装置５０３は、レポート・フィジカル・アドレスメッセージを含む無線データパケットを受信し、当該レポート・フィジカル・アドレスメッセージを含むＣＥＣフレームを生成し、当該ＣＥＣフレームをＨＤＭＩケーブル１０２に出力することによって、受信側無線通信装置５０６に接続されているＣＥＣ機器のシステム構成が変更されたことを、ソース機器１０１へ通知する。
【０１２２】
本実施の形態５によれば、受信側無線通信装置５０６に有線接続されているＣＥＣ機器のシステム構成が変更された場合に、受信側無線通信装置５０６から無線通信システム内の他のＣＥＣ機器にシステム構成が変更されたことを直接通知することができる。
【０１２３】
（実施の形態６）
図１４は、本発明の実施の形態６における無線通信装置を用いた無線通信システムの一構成を示すブロック図である。図１４において、実施の形態１〜５と同じ構成要素については同じ符号を用い、説明を省略する。また、送信側無線通信装置６０３および受信側無線通信装置６０６は、図１に示される無線通信装置１０００の他の形態であり、各構成要素の対応関係は実施の形態１と共通である。
【０１２４】
図１４において、ＣＥＣ受信論理アドレス更新検出部６１９は、ＣＥＣ受信論理アドレステーブル１１１が更新されたか否かを判定する。そして、更新されたと判定した場合、ＣＥＣ受信論理アドレス更新検出部６１９は、ＣＥＣ受信論理アドレステーブル１１１に登録されているＣＥＣ論理アドレスの集合を不揮発性メモリ６２０に保存（コピー）する。
【０１２５】
図１５は、本発明の実施の形態６におけるＣＥＣ受信論理アドレス更新検出部６１９によって実行される不揮発性メモリ６２０の更新処理のフローチャートである。
【０１２６】
まず、ＣＥＣ受信論理アドレス更新検出部６１９は、ＣＥＣ受信論理アドレステーブル１１１が更新されたか否かの判定を行う（ステップＳ２００１）。そして、ＣＥＣ受信論理アドレステーブル１１１が更新された場合（ステップＳ２００１でＹＥＳ）、ＣＥＣ受信論理アドレス更新検出部６１９は、ＣＥＣ受信論理アドレステーブル１１１に含まれるＣＥＣ論理アドレスの集合を不揮発性メモリ６２０に保存する（ステップＳ２００２）。
【０１２７】
図１６および図１７は、本発明の実施の形態６におけるＣＥＣ受信論理アドレス更新検出部６１９によって実行されるＣＥＣ受信論理アドレステーブル１１１の初期化処理のフローチャートである。図１６は、受信側無線通信装置６０６のＣＥＣ受信論理アドレステーブル１１１の初期化処理のフローチャートである。図１７は、送信側無線通信装置６０３のＣＥＣ受信論理アドレステーブルの初期化処理のフローチャートである。
【０１２８】
まず、図１６を参照して、受信側無線通信装置６０６における初期化処理について説明する。
【０１２９】
受信側無線通信装置６０６が起動すると、ＣＥＣ受信論理アドレス更新検出部６１９は、不揮発性メモリ６２０からＣＥＣ論理アドレスの集合を読み出す（ステップＳ３００１）。次に、ＣＥＣ受信論理アドレス更新検出部６１９は、読み出したＣＥＣ論理アドレスの集合に、ＣＥＣ論理アドレスにおけるブロードキャストアドレスである「１５」を追加する（ステップＳ３００２）。そして、ＣＥＣ受信論理アドレス更新検出部６１９は、ＣＥＣ論理アドレスの集合をＣＥＣ受信論理アドレステーブル１１１に保存する（ステップＳ３００３）。
【０１３０】
次に、図１７を参照して、送信側無線通信装置６０３における初期化処理について説明する。
【０１３１】
送信側無線通信装置６０３の初期化処理におけるステップＳ４００１、Ｓ４００２、Ｓ４００４は、受信側無線通信装置６０６の初期化処理におけるステップＳ３００１、Ｓ３００２、Ｓ３００３にそれぞれ対応する。相違点は、ステップＳ４００２とステップＳ４００４との間に、ＣＥＣ論理アドレスの集合にルート機器（本実施の形態６の場合、ＴＶ１０８）の論理アドレスである「０」を追加するステップＳ４００３を追加した点である。
【０１３２】
本実施の形態６によれば、ＣＥＣ受信論理アドレステーブル１１１には、常にＣＥＣ論理アドレス「１５」が含まれる。このため、ブロードキャスト宛のＣＥＣメッセージを、起動直後から常に受信し、無線中継することが可能となる。このことにより、新たにＣＥＣ信号線１１９に接続されたＣＥＣ機器が、まず、ブロードキャスト宛のＣＥＣメッセージを発行するものとすれば、ＣＥＣ制御部５１４は、常に、新たにＣＥＣ信号線１１９に接続されたＣＥＣ機器からのブロードキャスト宛のＣＥＣメッセージを中継することができる。
【０１３３】
このとき、ＣＥＣ論理アドレス収集部１１５においてＣＥＣメッセージの送信元ＣＥＣ論理アドレスを収集することにより、ＣＥＣ信号線１１９に接続されているＣＥＣ機器のＣＥＣ論理アドレスを取得することが可能となる。その結果、必ずしも定期的な周期でＣＥＣ信号線１１９をポーリングする必要がなくなり、ＣＥＣ信号線１１９のトラフィックを低減することが可能となる。
【０１３４】
また、ＣＥＣ受信論理アドレステーブル１１１には、初期化直後において前回終了時のＣＥＣ論理アドレスの集合が含まれる。このため、前回終了時以降で今回の起動までの間に他のＣＥＣ機器のＣＥＣ論理アドレスの割り当てに変更がない場合には、送信側無線通信装置６０３からリスト交換メッセージを受信したりしなくとも、ＣＥＣメッセージの無線中継を行うことが可能となる。
【０１３５】
さらに、送信側無線通信装置６０３のＣＥＣ受信論理アドレステーブルは、初期状態において受信側無線通信装置６０６に接続されるルート機器に付与されるＣＥＣ論理アドレス「０」を含む。このため、本実施の形態６におけるルート機器であるＴＶ１０８宛のＣＥＣメッセージは、起動直後から受信し、無線中継することが可能となる。
【０１３６】
なお、本発明の実施の形態６は、本発明の実施の形態１〜５のいずれと組み合わせて実施することも可能である。
【０１３７】
また、本発明の実施の形態１〜６記載の無線通信装置を混在させて実施することも可能である。
【０１３８】
また、本発明の実施の形態１〜６においては、送信側及び受信側の無線通信装置をそれぞれ１つとして説明したが、それぞれ複数とする構成も可能である。
【０１３９】
（その他変形例）
なお、本発明を上記実施の形態に基づいて説明してきたが、本発明は、上記の実施の形態に限定されないのはもちろんである。以下のような場合も本発明に含まれる。
【０１４０】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４１】
上記の各装置を構成する構成要素の一部（例えば、各ブロック図の破線で囲まれた部分）または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【０１４２】
上記の各装置を構成する構成要素の一部（例えば、各ブロック図の破線で囲まれた部分）または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１４３】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０１４４】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０１４５】
また、本発明は、コンピュータプログラムまたはデジタル信号を、電気通信回線、無線または有線通信回線、インターネットを代表とするネットワーク、データ放送等を経由して伝送するものとしてもよい。
【０１４６】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０１４７】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１４８】
上記実施の形態をそれぞれ組み合わせてもよい。
【０１４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１５０】
本発明にかかる無線通信装置は、ＣＥＣ無線中継のスループットを著しく向上させる。また、ＣＥＣ機器の接続形態や論理アドレス割り当てが変更された場合には、ＨＤＭＩインタフェース上の他の機器に随時通知することが可能となる。そのため、ＨＤＭＩを無線中継する無線通信システム等として有用である。
【符号の説明】
【０１５１】
１Ａ  ソース装置
２Ａ  シンク装置
１０Ａ，２０Ａ，５０，６０  コントローラ
１１，２１  ＲＯＭ
１３  ＤＶＤプレーヤ
１４，２４  ＣＥＣコントローラ
２２  スピーカ
２３  ディスプレイ
３０  音声信号及び映像信号処理回路
５１，５５，６１，６５  有線送受信回路
５２，６２  ＲＡＭ
５４，６４  無線送受信回路
５６，６６，１０４，１０５  アンテナ
５７，６７  アダプタ装置
１０１  ソース機器
１０２，１０７  ＨＤＭＩケーブル
１０３，２０３，３０３，４０３，５０３，６０３  送信側無線通信装置
１０６，２０６，３０６，４０６，５０６，６０６  受信側無線通信装置
１０８，４０８  ＴＶ
１０９  無線伝送部
１１０  ＣＥＣ受信論理アドレス更新部
１１１  ＣＥＣ受信論理アドレステーブル
１１２，２１２，５１２，６１９  ＣＥＣ受信論理アドレス更新検出部
１１４，２１４，３１４，４１４，５１４  ＣＥＣ制御部
１１５  ＣＥＣ論理アドレス収集部
１１６  ＣＥＣ論理アドレステーブル
１１７  ＨＰＤ信号線
１１８  “＋５Ｖ  Ｐｏｗｅｒ”信号線
１１９  ＣＥＣ信号線
６２０  不揮発性メモリ
１０００  無線通信装置
１１００  有線インタフェース
１２００  無線インタフェース
１３００  アドレス管理テーブル
１４００  テーブル更新部
１５００  制御部
【手続補正２】
【補正対象書類名】特許請求の範囲
【補正対象項目名】全文
【補正方法】変更
【補正の内容】
【特許請求の範囲】
【請求項１】
各々が１以上の機器に有線接続され、且つ互いに無線接続されている一対の無線通信装置のうちの一方の無線通信装置であって、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、
他方の前記無線通信装置に無線接続される無線インタフェースと、
前記一対の無線通信装置に有線接続された前記機器それぞれを識別するためのＣＥＣ論理アドレスを保持するアドレス管理テーブルと、
前記有線インタフェース及び前記無線インタフェースの一方の先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェース及び前記無線インタフェースの他方の先に接続されている前記機器に通知する制御部とを備える
無線通信装置。
【請求項２】
前記テーブル更新部は、前記他方の無線通信装置に有線接続されている前記機器のＣＥＣ論理アドレスのリストを含むリスト交換メッセージを、前記無線インタフェースを経由して前記他方の無線通信装置から受信したことに応じて、当該リスト交換メッセージに含まれるＣＥＣ論理アドレスで前記アドレス管理テーブルを更新し、
前記制御部は、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを所定の時間出力することによって、前記アドレス管理テーブルが更新されたことを前記有線インタフェースの先に接続されている前記機器に通知する
請求項１に記載の無線通信装置。
【請求項３】
前記制御部は、さらに、該無線通信装置の起動後、前記他方の無線通信装置から前記リスト交換メッセージを最初に受信するまでの間、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを出力し続ける
請求項２に記載の無線通信装置。
【請求項４】
前記テーブル更新部は、前記無線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加し、
前記制御部は、ＨＤＭＩ規格に規定されたレポート・フィジカル・アドレスメッセージを前記有線インタフェースの先に接続されている前記機器に送信することによって、前記アドレス管理テーブルに追加されたＣＥＣ論理アドレスを通知する
請求項１に記載の無線通信装置。
【請求項５】
前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記有線インタフェースの先に接続されている前記機器に中継する
請求項４に記載の無線通信装置。
【請求項６】
前記テーブル更新部は、前記有線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加し、
前記制御部は、ＨＤＭＩ規格に規定されたレポート・フィジカル・アドレスメッセージを前記無線インタフェースの先に接続されている前記機器に送信することによって、前記アドレス管理テーブルに追加されたＣＥＣ論理アドレスを通知する
請求項１に記載の無線通信装置。
【請求項７】
前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記無線インタフェースの先に接続されている前記機器に中継する
請求項６に記載の無線通信装置。
【請求項８】
該無線通信装置は、さらに、不揮発性メモリを備え、
前記テーブル更新部は、前記アドレス管理テーブルを更新する度に、更新後の前記アドレス管理テーブルに保持されている１以上の前記ＣＥＣアドレスを前記不揮発性メモリにコピーする
請求項１に記載の無線通信装置。
【請求項９】
前記テーブル更新部は、該無線通信装置が起動された際に、前記不揮発性メモリに記憶されている前記１以上のＣＥＣ論理アドレスに、ルート機器を示すＣＥＣ論理アドレス又はブロードキャストアドレスの少なくとも一方を追加して、前記アドレス管理テーブルにコピーする
請求項８に記載の無線通信装置。
【請求項１０】
前記制御部は、前記有線インタフェースを介して任意のＣＥＣメッセージを受信した場合において、前記ＣＥＣメッセージの送信先を示す前記ＣＥＣ論理アドレスが前記アドレス管理テーブルに保持されていた場合に、前記ＣＥＣメッセージを前記無線インタフェース介して送信先の前記機器に送信すると共に、前記ＣＥＣメッセージを受信したことを示す受信応答信号を、前記有線インタフェースを介して前記ＣＥＣメッセージの送信元の前記機器に送信する
請求項１に記載の無線通信装置。
【請求項１１】
各々が１以上の機器に有線接続され、且つ互いに無線接続されている一対の無線通信装置のうちの一方の無線通信装置が他方の無線通信装置と無線通信する無線通信方法であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記無線通信方法は、
前記有線インタフェース及び前記無線インタフェースの一方の先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェース及び前記無線インタフェースの他方の先に接続されている前記機器に通知する制御ステップとを含む
無線通信方法。
【請求項１２】
各々が１以上の機器に有線接続され、且つ互いに無線接続されている一対の無線通信装置のうちの一方の無線通信装置に、他方の無線通信装置と無線通信させるプログラムであって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記プログラムは、
前記有線インタフェース及び前記無線インタフェースの一方の先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェース及び前記無線インタフェースの他方の先に接続されている前記機器に通知する制御ステップとを前記一方の無線通信装置に実行させる
プログラム。
【請求項１３】
各々が１以上の機器に有線接続され、且つ互いに無線接続されている一対の無線通信装置のうちの一方の無線通信装置に含まれる集積回路であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースとを備え、
前記集積回路は、
前記一対の無線通信装置に有線接続された前記機器それぞれを識別するためのＣＥＣ論理アドレスを保持するアドレス管理テーブルと、
前記有線インタフェース及び前記無線インタフェースの一方の先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェース及び前記無線インタフェースの他方の先に接続されている前記機器に通知する制御部とを備える
集積回路。
【手続補正３】
【補正対象書類名】図面
【補正対象項目名】全図
【補正方法】変更
【補正の内容】
【図１】
2010100877.tif 000022
【図２】
2010100877.tif 000023
【図３】
2010100877.tif 000024
【図４】
2010100877.tif 000025
【図５】
2010100877.tif 000026
【図６】
2010100877.tif 000027
【図７】
2010100877.tif 000028
【図８】
2010100877.tif 000029
【図９】
2010100877.tif 000030
【図１０】
2010100877.tif 000031
【図１１】
2010100877.tif 000032
【図１２】
2010100877.tif 000033
【図１３】
2010100877.tif 000034
【図１４】
2010100877.tif 000035
【図１５】
2010100877.tif 000036
【図１６】
2010100877.tif 000037
【図１７】
2010100877.tif 000038
【図１８】
2010100877.tif 000039
【図１９】
2010100877.tif 000040
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
各々が１以上の機器に有線接続され、且つ互いに無線接続されている一対の無線通信装置のうちの一方の無線通信装置であって、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、
他方の前記無線通信装置に無線接続される無線インタフェースと、
前記一対の無線通信装置に有線接続された前記機器それぞれを識別するためのＣＥＣ論理アドレスを保持するアドレス管理テーブルと、
前記無線インタフェースの先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェースの先に接続されている前記機器に通知する制御部とを備える
無線通信装置。
【請求項２】
前記テーブル更新部は、前記他方の無線通信装置に有線接続されている前記機器のＣＥＣ論理アドレスのリストを含むリスト交換メッセージを、前記無線インタフェースを経由して前記他方の無線通信装置から受信したことに応じて、当該リスト交換メッセージに含まれるＣＥＣ論理アドレスで前記アドレス管理テーブルを更新し、
前記制御部は、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを所定の時間出力することによって、前記アドレス管理テーブルが更新されたことを前記有線インタフェースの先に接続されている前記機器に通知する
請求項１に記載の無線通信装置。
【請求項３】
前記制御部は、さらに、該無線通信装置の起動後、前記他方の無線通信装置から前記リスト交換メッセージを最初に受信するまでの間、前記有線インタフェースに含まれる”Ｈｏｔ  Ｐｌｕｇ  Ｄｅｔｅｃｔ”信号線又は”＋５Ｖ  Ｐｏｗｅｒ”信号線に対して、ＬＯＷレベルパルスを出力し続ける
請求項２に記載の無線通信装置。
【請求項４】
前記テーブル更新部は、前記無線インタフェースを介して任意のＣＥＣメッセージを受信した場合において、当該ＣＥＣメッセージの送信元を示すＣＥＣ論理アドレスが前記アドレス管理テーブルに保持されていない場合に、当該ＣＥＣ論理アドレスを前記アドレス管理テーブルに追加し、
前記制御部は、ＨＤＭＩ規格に規定されたレポート・フィジカル・アドレスメッセージを前記有線インタフェースの先に接続されている前記機器に送信することによって、前記アドレス管理テーブルに追加されたＣＥＣ論理アドレスを通知する
請求項１に記載の無線通信装置。
【請求項５】
前記制御部は、追加されたＣＥＣ論理アドレスで識別される前記機器に対して、ＨＤＭＩ規格に規定されたギブ・フィジカル・アドレスメッセージを送信し、当該機器によって生成された前記レポート・フィジカル・アドレスメッセージを、前記有線インタフェースの先に接続されている前記機器に中継する
請求項４に記載の無線通信装置。
【請求項６】
該無線通信装置は、さらに、不揮発性メモリを備え、
前記テーブル更新部は、前記アドレス管理テーブルを更新する度に、更新後の前記アドレス管理テーブルに保持されている１以上の前記ＣＥＣアドレスを前記不揮発性メモリにコピーする
請求項１に記載の無線通信装置。
【請求項７】
前記テーブル更新部は、該無線通信装置が起動された際に、前記不揮発性メモリに記憶されている前記１以上のＣＥＣ論理アドレスに、ルート機器を示すＣＥＣ論理アドレス又はブロードキャストアドレスの少なくとも一方を追加して、前記アドレス管理テーブルにコピーする
請求項６に記載の無線通信装置。
【請求項８】
前記制御部は、前記有線インタフェースを介して任意のＣＥＣメッセージを受信した場合において、前記ＣＥＣメッセージの送信先を示す前記ＣＥＣ論理アドレスが前記アドレス管理テーブルに保持されていた場合に、前記ＣＥＣメッセージを前記無線インタフェース介して送信先の前記機器に送信すると共に、前記ＣＥＣメッセージを受信したことを示す受信応答信号を、前記有線インタフェースを介して前記ＣＥＣメッセージの送信元の前記機器に送信する
請求項１に記載の無線通信装置。
【請求項９】
各々が１以上の機器に有線接続され、且つ互いに無線接続されている一対の無線通信装置のうちの一方の無線通信装置が他方の無線通信装置と無線通信する無線通信方法であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記無線通信方法は、
前記無線インタフェースの先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェースの先に接続されている前記機器に通知する制御ステップとを含む
無線通信方法。
【請求項１０】
各々が１以上の機器に有線接続され、且つ互いに無線接続されている一対の無線通信装置のうちの一方の無線通信装置に、他方の無線通信装置と無線通信させるプログラムであって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースと前記一対の無線通信装置に有線接続された前記機器それぞれを識別するためのＣＥＣ論理アドレスを保持するアドレス管理テーブルとを備え、
前記プログラムは、
前記無線インタフェースの先に接続されている前記機器が変更されたことを示すメッセージを受信したことに応じて、前記アドレス管理テーブルを更新するテーブル更新ステップと、
前記テーブル更新ステップで前記アドレス管理テーブルが更新されたことを、前記有線インタフェースの先に接続されている前記機器に通知する制御ステップとを前記一方の無線通信装置に実行させる
プログラム。
【請求項１１】
各々が１以上の機器に有線接続され、且つ互いに無線接続されている一対の無線通信装置のうちの一方の無線通信装置に含まれる集積回路であって、
前記一方の無線通信装置は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定された方式で、前記１以上の機器に有線接続される有線インタフェースと、他方の前記無線通信装置に無線接続される無線インタフェースとを備え、
前記集積回路は、
前記一対の無線通信装置に有線接続された前記機器それぞれを識別するためのＣＥＣ論理アドレスを保持するアドレス管理テーブルと、
前記無線インタフェースの先に接続されている前記機器が変更されたことを示すメッセージを受信したことに応じて、前記アドレス管理テーブルを更新するテーブル更新部と、
前記テーブル更新部によって前記アドレス管理テーブルが更新されたことを、前記有線インタフェースの先に接続されている前記機器に通知する制御部とを備える
集積回路。
【国際調査報告】
2010100877.tif 000041
2010100877.tif 000042